(57)【要約】【課題】絵柄入りホログラムシートは、被貼着体に貼付されたりして、その被貼着体の真正性を証明するものであるため、単にホログラムシートの上に同様の絵柄を印刷した偽造品を作製し、真正でない他の被貼着体へ貼付して使用されることが可能であると、その証明性を維持することができなくなるという課題を有していた。【解決手段】ホログラムシートを構成するホログラム形成層の上下に、わずかに視認性の異なる絵柄を形成することにより、あたかも一つの絵柄が形成されているように認識させ、真正性を判定する際には、そのわずかな視認性の差を判定することにより、真正性を容易に判定可能な絵柄入りホログラムシートを提供する。【選択図】  図１
2013246231.tif 000002
【特許請求の範囲】
【請求項１】
透明樹脂基材からなるホログラム形成層と、反射性薄膜層とを積層してなるホログラムシートにおいて、前記ホログラム形成層のホログラムレリーフが形成されていない面の一部に着色パターン層Ａを設け、前記ホログラム形成層のホログラムレリーフ形成面の一部に着色パターン層Ｂを設け、前記着色パターン層Ｂの前記ホログラムレリーフと接していない面は、基材面に対して所定角度の斜面をなし、且つ、前記ホログラムレリーフ並びに前記着色パターン層Ｂに追従するように前記反射性薄膜層を設けたことを特徴とするホログラムシート。
【請求項２】
前記透明樹脂基材のヘーズが、１０％以下であることを特徴とする請求項１に記載のホログラムシート。
【請求項３】
前記ホログラム形成層の屈折率と、前記着色パターン層Ｂの屈折率が同一、もしくは、その屈折率差が０．１以下であることを特徴とする請求項１または２に記載のホログラムシート。
【請求項４】
請求項１〜３に記載のホログラムシートの前記反射性薄膜層の上に、粘着剤層が設けられていることを特徴とするホログラムラベル。
【請求項５】
請求項１〜３に記載のホログラムシートの前記反射性薄膜層の上に、接着剤層が設けられ、且つ、前記透明樹脂基材と前記着色パターン層Ａを覆うように透明基材が剥離可能に設けられていることを特徴とするホログラム転写シート。
【発明の詳細な説明】
【技術分野】
【０００１】
本発明は、ホログラムシート、ホロラムラベル及びホログラム転写シート（以下、ホログラムシート等ともいう。）に係り、詳しくは、視認性の異なる２種類の着色パターンをあたかも一つのパターンとして認識することができるように形成したことにより、高い偽造防止性を有し、且つ、その真正性を容易に判定できる偽造防止用ホログラムシート、ホログラムラベル及びホログラム転写シートに関するものである。
【０００２】
ここで、視認性とは、「視覚的な文字や図形などを明確に認識することができるかを表すもの」であって、実際に目で見て確認した際の文字や図形などの見易さを示すものである。別の言い方をすれば、何らかの手段で形成された文字や図形などの光学的特性の一つと言うことができる。
【０００３】
本明細書において、配合を示す「部」は特に断わらない限り質量基準である。また、  「ホログラム」はホログラムに加えて、回折格子などの光回折性機能を有するものも含む。
【０００４】
さらに、ホログラムレリーフ上に設けられた、ある着色パターン層のホログラムレリーフと接していない面が、「所定角度の斜面」であるとは、その面が、ホログラム形成層をなす透明樹脂基材の基材面に対して、所定角度で傾斜していることを意味する。また、このことは、略平面といわれるホログラムレリーフの「面」に対して同様に傾斜している略平面をなすことをも意味する。従って、この「斜面」は、それ自体が略平面であって、且つ、ホログラムレリーフの「面」に対しても「所定角度」、すなわち、「所定の傾斜角度」を有することとなる。（ここで略平面とは、その平面の凹凸や曲りの程度が目視では判別できない程度に小さいものであって、目視観察においては「平面」と認識するような「面」を意味する。）
また、「ヘーズ（曇価ともいう。）」とは、ＪＩＳ  Ｋ  ７１３６「プラスチック−透明材料のヘーズの求め方」に準じて求められるものであって、「試験片を透過する透過光のうち、前方散乱によって入射光から２．５°以上それた透過光の百分率」であり、「全光線透過率（平行透過率＋拡散透過率）に対する拡散透過率の比」として定義されるものである。
【背景技術】
【０００５】
（主なる用途）本発明のホログラムシート等の主なる用途としては、偽造防止分野や意匠用途などに使用される分野であって、具体的には、以下の（１）から（４）に使用される分野がある。
（１）製造メーカー純正品等、純正品の認証が意義を持つ種々の商品分野、例えば、電子機器、電気機器、コンピュータ関連製品、及び、それらの構成部品、コンピュータ関連ソフト、純正備品類（用紙やトナーなどのプリンタ消耗品等。）医薬品、医薬部外品もしくは化成品等。
（２）商品そのものが真正品であることを消費者に強く求められる分野、もしくは、シート等を貼付等することで意匠性を高めたり、商品が高価であることを示し、その商品の付加価値を高める分野など、例えば、書籍、文書、講演、演劇、映画、写真、絵画、彫刻、版画、図面、模型等もしくは、それらの編集物、又は記録媒体に記録したもの（ビデオカセット、コンパクトディスク、デジタルビデオディスクなど）等の著作物、所定の設定をされ、変更を防止しているＲＯＭボード（コンピューター機器、ゲーム機、遊技機等に用いられるもの。ＲＯＭとボードに渡る貼付も含む。）、時計類、ネクタイ、マフラー、衣服等衣類、ハンカチーフ、ネッカチーフ、カバン、バッグ、ベルト、財布、小物入れ、装身具、宝石等宝飾品、スポーツ用品、化粧品、食器類、記念カップ、キーホルダー、置物、花瓶、陶器、人形、家具類、建具類、傘、ステッキ、食品容器、たばこ、葉巻等、及びそれらの高級ブランド品等。
（３）本人確認の手段（ＩＤ証）分野、例えば、パスポート、運転免許証、保険証、会員証、身分証、住民登録証、病院カード、もしくは図書館カード等。
（４）経済秩序を保つ上で真正品であることが求められる分野、例えば、商品券、ギフト券等の金券類、もしくはプリペイドカード、クレジットカード、キャッシュカード等のカード類。
【０００６】
さらには、これらのものを包装し、その包装を封印する分野、例えば、単に保管のため、もしくは郵便物や小荷物として封筒に入れたり、パッケージに入れて配達や配送をする分野、商品をパッケージに入れて販売する分野、単純に包装する分野、それらの封緘シールとして使用する分野、また、それらの説明書や効能書等にその真正性を証明したり、後発医薬品との識別をするために貼付する分野等、
または、これらのものを提供するサービスの用に供するもの等、例えば、各種サービスを提供する証し、貸与品の証し、さらには、各種サービスを受けることができる証し等に関し、特に、そのホログラムシート等に、印刷パターン等による、製造メーカー、出版社、著作者、ゲーム機運用会社、高級ブランド、証明書発行者、カードセキュリティ会社、金券類等発券または発行者、配達または配送会社、販売会社、その他関連組織等の名称や、ロゴ、印章、その他、他社との識別性を有する文字、図形、記号等、すなわち、ブランドロゴ表示や、真正性を表す文字や記号等を含めており、そのロゴや、文字、図形、記号等が、その製品の付加価値や、品質保証等の信頼性を高めるもの（証明するもの）である分野に好適である。
（先行技術）近年、光の干渉を用いて立体画像（３Ｄ画像）を再生し得るホログラムの開発が進められ、このホログラムは高度な製造技術を要すると共に様々な形態、例えばラベル、シール、または、箔状に形成可能なことから、これを応用し、偽造防止手段として、上記分野を含め、様々なものの一部に貼着して使用されている。
【０００７】
このホログラムは、一見して本物か否かが判り、しかも上記したように製造が困難であることから、広く利用されるようになってきた。
【０００８】
すなわち、偽造防止手段として、クレジットカード等の金券類、証明書等の一部に設けたり、外観の目新しさを狙つて本の表紙、パンフレット、レコードジャケット、パッケージ、衣類等の様々な物品に設けることが試みられている。
【０００９】
この様なホログラムの装飾性及び偽造防止性を高めるために、所定の「絵柄」をホログラムに付与することが行われている。すなわち、物品に貼着されたホログラム付きラベルの表面に「絵柄」を印刷等により設けることが試みられている。
【００１０】
従来、本出願人は、絵柄入りホログラム付きラベルについて、支持体とその支持体上にホログラム形成層、反射性薄膜層、接着剤層及び、必要に応じて剥離シ− トが順次積層されると共に、上記の任意の層間に少なくとも一層の「絵柄」層を有してなるもので、「絵柄」とホログラム再生像が一体に調和し、且つ、絵柄入りホログラム付きラベルを貼着した「被着体」のデザイン、色彩、色調と調和した美麗なものとし、「ホログラムステツカー」として有用であると共に、クレジットカード等の金券類及び高級製品に貼り付けられた場合には、高い偽造防止性を発揮する、絵柄入りホログラム付きラベルを提供している。
【００１１】
特に、その反射性薄膜層に隣接して（接着して）「絵柄」層を設け、「絵柄」を書き換えようとした場合、反射性薄膜層が損壊してしまい、書き換えられた「絵柄」であるか否かが容易に判別でき、偽造防止を図ることができるものを開示している（特許文献１参照。）。
【００１２】
また、これらホログラムラベルの表面の支持体は、樹脂フィルムであり、その樹脂フィルムのみでは、付加した絵柄の耐擦傷性などの耐久性が不十分であるとして、ホログラムラベル表面の耐擦傷性などの耐久性を向上させ、裏側が透けず、質感にも優れるホログラム付きラベル及びその製造方法をも開示している（特許文献２参照。）。
【００１３】
しかしながら、これらのホログラムラベルに付加された「絵柄」層や、「印刷」層は、一般的コート方法や、一般的印刷方法により、各印刷方法に適したインキの顔料及び染料を選択して形成されるものであって、あくまで、「絵柄」層を書き換えようとすると、その「絵柄」層と接している「反射性薄膜層」を傷つけてしまい、「絵柄」層のみを書き換えることが物理的に難しいという特性から、偽造防止を図るものである。
【００１４】
特許文献２においても、「印刷」層は、「公知の印刷法で特に限定されることなく、例えば、公知のインキを用いて公知のスクリーン印刷やグラビア印刷で印刷すればよい」と記載するのみであって、真正なホログラムに「類似した視認性」（目視にて観察した際に、ホログラム再生像のように具体的な「像」を結像しないものの、光を乱反射したり、部分的に輝いたりして、「類似する光学的効果」を醸し出していることを意味する。）を付与したラベルに、全く同一の色調を有する「印刷」層を施して偽造品を作製することが可能と考えられた。
【００１５】
さらには、「印刷」層を形成した領域では、その「印刷」層がホログラムの光学的効果を遮断するため（観察側から見て手前に、「印刷デザイン」を強調するように「印刷」層を設けており、そして、その「印刷」層は、ほとんど光を透過しないため。）、偽造を試みる者は、この「印刷」層を形成した部分についてはホログラムの光学的効果を「再現」する必要がなく（通常、この「印刷」層形成領域は、ラベル全体の面積の大半を占めている。）、「印刷」層形成領域以外のわずかな領域のみについて、真正なホログラムに「似せた光学効果」を醸し出せればよいため、偽造が容易となってしまうという欠点を有していた。
【００１６】
この問題を解決するために、「印刷」層形成領域の上においてもホログラム効果を発現させるため、本出願人は、ホログラムレリーフ上に透明反射性薄膜層を設け、その透明反射性薄膜層上の一部に「印刷」層を設け、それらの層全体を覆うように全反射性薄膜層を設ける技術を開示している（特許文献３参照。）。
【００１７】
しかしながら、この技術は、ホログラムを製造する工程が非常に煩雑となるだけでなく、他の特許文献と同様に、「印刷」層は、一般的なものであって、「印刷」層そのものには、何ら偽造防止性を付与していないことから、やはり、上記したような偽造を防ぐことができず、「印刷」層そのものに対して偽造防止機能を持たせる、より高度な偽造防止効果を提供することができないものであった。
【先行技術文献】
【特許文献】
【００１８】
【特許文献１】実公平５−１８７７９号公報
【特許文献２】特開２００７−８６２５１号公報
【特許文献３】特開平７−１２９０６９号公報
【発明の概要】
【発明が解決しようとする課題】
【００１９】
本発明は、一方がホログラム再生像を透過するタイプ、及び、他方がホログラム再生像を消失させるタイプである、２種類の着色パターン層（例えば、「印刷」層など。）を、ホログラム形成層の上下に設けることによって、あたかも、一つの着色パターンがホログラムと複合されているように観察されるものの、あらかじめ定められた観察方法によっては、目視にて容易に、その２種類の着色パターン層を判別可能である、偽造防止性に優れ、且つ、真正性の判定が簡易な、ホログラムシート、ホロラムラベル及びホログラム転写シートを提供する。
【課題を解決するための手段】
【００２０】
上記の課題を解決するために、
本発明のホログラムシートの第１の態様は、
透明樹脂基材からなるホログラム形成層と、反射性薄膜層とを積層してなるホログラムシートにおいて、前記ホログラム形成層のホログラムレリーフが形成されていない面の一部に着色パターン層Ａを設け、前記ホログラム形成層のホログラムレリーフ形成面の一部に着色パターン層Ｂを設け、前記着色パターン層Ｂの前記ホログラムレリーフと接していない面は、基材面に対して所定角度の斜面をなし、且つ、前記ホログラムレリーフ並びに前記着色パターン層Ｂに追従するように前記反射性薄膜層を設けたことを特徴とするものである。
【００２１】
上記第１の態様のホログラムシートによれば、
透明樹脂基材からなるホログラム形成層と、反射性薄膜層とを積層してなるホログラムシートにおいて、前記ホログラム形成層のホログラムレリーフが形成されていない面の一部に着色パターン層Ａを設け、前記ホログラム形成層のホログラムレリーフ形成面の一部に着色パターン層Ｂを設け、前記着色パターン層Ｂの前記ホログラムレリーフと接していない面は、基材面に対して所定角度の斜面をなし、且つ、前記ホログラムレリーフ並びに前記着色パターン層Ｂに追従するように前記反射性薄膜層を設けたことを特徴とするホログラムシートを提供することができ、あたかも一つのパターンとして形成されたものと観察される着色パターンが、実際には、視認性の異なる２種類の着色パターンから構成されていることで、偽造防止性が高く、真正性の判定が容易な、ホログラムシートを提供することができる。
【００２２】
特に、前記着色パターン層Ａが、例えば「ある文字情報等」である「パターンａ」を構成し、前記着色パターン層Ｂが、「『パターンａ』とは異なる文字情報等」である「パターンｂ」を構成しているものとしたときに、前記ホログラムシートを前記透明樹脂基材側の真正面（その基材面に対して垂直上方から観察するという意味。）から観察した際には、前記着色パターン層Ａ及び、前記着色パターン層Ｂが、同一の「色」を呈して、「パターンａ」と「パターンｂ」との区別がなくなり、その「パターンａ」と「パターンｂ」とが、「合成されたパターン」、すなわち、「一つのパターンｃ」（合成された一つの文字情報等）として視認され、且つ、前記ホログラムシートを前記透明樹脂基材側の予め定まった角度で斜め上方から観察した際には、前記着色パターン層Ａと、前記着色パターン層Ｂが、互いに異なる「色」を呈して、「パターンａ」と「パターンｂ」との区別が現れ、その「パターンａ」と「パターンｂ」とが別々の文字情報等、すなわち、「ある文字情報等」と、「異なる文字情報等（『ある文字情報』とは別の文字情報等を意味する。）」として観察されることを特徴とするホログラムシートを提供することができる。
【００２３】
しかも、上記した「予め定まった角度」には、ホログラム形成層から出現するホログラム再生像によって定まる角度（ホログラム再生像の再生する角度）に加えて、着色パターン層Ｂの「斜面」によって定まる角度が含まれることとなる。
【００２４】
このことは、一見して「一つのパターンｃ」、すなわち、一つの「色」で表現された「一つの文字情報等」を提示していると観察されるパターンが、二つの所定の観察角度において、「パターンａ」と「パターンｂ」という、異なる「色」を呈する「二つに分割された、それぞれの文字情報等」として観察されることを意味する。
【００２５】
本発明のホログラムシートの第２の態様は、
前記透明樹脂基材のヘーズが、１０％以下であることを特徴とするものである。
【００２６】
上記第２の態様のホログラムシートによれば、
前記透明樹脂基材のヘーズが、１０％以下であることを特徴とする第１の態様のホログラムシートを提供することができ、着色パターン層Ｂの視認性をより明確なものとして、その偽造防止性をさらに高めた、ホログラムシートを提供することができる。
【００２７】
本発明のホログラムシートの第３の態様は、
前記ホログラム形成層の屈折率と、前記着色パターン層Ｂの屈折率が同一、もしくは、その屈折率差が０．１以下であることを特徴とするものである。
【００２８】
上記第３の態様のホログラムシートによれば、
前記ホログラム形成層の屈折率と、前記着色パターン層Ｂの屈折率が同一、もしくは、その屈折率差が０．１以下であることを特徴とする第１の態様または第２の態様のホログラムシートを提供することができ、着色パターン層Ｂによる、ホログラムレリーフを消失させる効果をより明確なものとして、その偽造防止性をさらに高めた、ホログラムシートを提供することができる。
【００２９】
本発明の第４の態様であるホログラムラベルは、
第１〜第３の態様のホログラムシートの前記反射性薄膜層の上に、粘着剤層が設けられていることを特徴とするものである。
【００３０】
上記の態様のホログラムラベルによれば、
第１〜第３の態様のホログラムシートの前記反射性薄膜層の上に、粘着剤層が設けられていることを特徴とするホログラムラベルを提供することができ、被貼着体への適用を容易とした、ホログラムラベルを提供することができる。
【００３１】
本発明の第５の態様であるホログラム転写シートは、
第１〜第３の態様のホログラムシートの前記反射性薄膜層の上に、接着剤層が設けられ、且つ、前記透明樹脂基材と前記着色パターン層Ａを覆うように透明基材が剥離可能に設けられていることを特徴とするものである。
【００３２】
上記の態様のホログラム転写シートによれば、
第１〜第３の態様のホログラムシートの前記反射性薄膜層の上に、接着剤層が設けられ、且つ、前記透明樹脂基材と前記着色パターン層Ａを覆うように透明基材が剥離可能に設けられていることを特徴とするホログラム転写シートを提供することができ、偽造防止性を付与する対象物へ容易に適用でき、且つ、適用後は、もはや剥がすことを物理的に難しくして、その偽造防止性を高めることが可能な、ホログラム転写シートを提供することができる。
【００３３】
ホログラムとは、一方で、ホログラム再生像として再生したい「３次元物体」に対して、時間的、且つ、空間的コヒーレント性を有する光である、レーザー光を照射（照明）し、その「３次元物体」の表面で、反射、散乱、もしくは、回折した「光」（これが「物体光」と呼ばれる。）を、所定の角度で、感光材料へ入射させ、他方で、そのレーザー光そのもの（これが、「参照光」と呼ばれる。）を、その「物体光」の入射角度とは異なる角度で、同時に、その感光材料へ入射させて、その「物体光」と、「参照光」とを干渉させ、その干渉によって生じた「干渉縞」を、その感光材料に記録したものである。
【００３４】
このホログラム形成方法は、撮影方式によるホログラム形成方法の一つであって、「二光線束法」とも呼ばれる。
【００３５】
その「物体光」と、「参照光」は、互いにコヒーレントであるので、感光材料内に鮮明な干渉縞が発生し、その干渉縞が記録される。
【００３６】
まず簡単な場合として、参照光及び物体光の二つが、いずれも平行光であって所定の角度をなす場合を考えると、二つの光の感光材料面までの道筋（光路）の長さの違い、したがって二つの光の位相の違いによって、感光材料面上のある位置では互いに強め合い、また別の位置では弱め合い、結果として感光材料には、参照光、物体光のなす角度によって決まる等間隔で感光材料面に垂直方向に伸びる干渉縞が記録される。
【００３７】
また、この干渉縞のコントラストは、参照光及び物体光の振幅が等しいとき最も大きく、相違があるほど小さくなる。物体光は、「３次元物体」の立体形状に依存して変化する光であって平行光ではないので、干渉縞は乱れたものになる。
【００３８】
しかし、その乱れは、参照光に対する物体光の位相の変化が干渉縞の横ずれとして、また、振幅の変化がコントラストの変化として生じ、感光材料には、物体光の位相及び、振幅の情報がすべて記録される。このようにして露光された感光材料を現像処理したものがホログラムとなる。
【００３９】
このホログラムには、普通のカメラで写した写真のようには、物体の像が写っておらず、ただ一様に白濁しているように見える（屈折率分布として記録されている。）が、光の波長に近い細かさで物体情報が完全に記録されている。
【００４０】
この感光材料として、フォトレジストを用い、フォトレジストの現像時間管理によって、フォトレジストの表面に、所望の深さの凹凸を設けたものが、レリーフホログラムであって、その凹凸が、上記と同様に、その深さや、周期において乱れたものとなっており、その乱れが、物体光の位相や、振幅の情報を含むことになる。
【００４１】
そして、その凹凸面が、ホログラムレリーフ面であって、このときの「凹凸面を有する感光材料層」が、「ホログラムレリーフをその一方の面に有するホログラム形成層」、すなわち、「透明樹脂基材からなるホログラム形成層」となる。
【００４２】
干渉縞を記録したホログラムを、例えば、上記した参照光と同一のレーザー光で照明すると、その干渉縞が、光の進行方向を変える回折格子として作用する。
【００４３】
回折格子に光が入射すると、そのまま透過する直接透過光（ゼロ次回折光）のほかに、格子の間隔、この場合は、干渉縞の間隔によって決まる方向に＋１次、及び、―１次の回折光を生じる。
【００４４】
ホログラム作成時、物体光及び参照光として、互いに所定の角度をなす２つの平行光を用いた場合には、このホログラムを照明した際の＋１次、及び、―１次の回折光は、いずれも平行光であり、前者は、元の物体光が感光材料を透過する方向に進む。
【００４５】
実際の干渉縞は物体光の位相や振幅で乱されているので、それに対応するように＋１次の回折光は乱され、元の物体光をそのまま再生することになる。ホログラムを通して観察すると、ホログラム再生像は、ゼロ次の回折光、または、―１次の回折光による攪乱を受けず、元の位置に物体の像が立体的に再生する。この像は直接像とよばれ、あたかも物体から光が出たように、発散する光で見えるので虚像になる。また、―１次の回折光によって、ホログラムの右側に、元の物体と前後が逆になった像が再生する。これは共役像とよばれ、実際に光が集束するので実像になる。
【００４６】
直接像を、見る位置を変えて観察すると、３次元物体の前後の相対位置が変化し、立体的に再生していることを確認できる。
【００４７】
この状況は、レリーフホログラムにおいても同様であって、上記したホログラム形成層が有するホログラムレリーフ面を、所定の「参照光」で照明すると、所定の角度に直接像（ホログラム再生像）が現れる。
【００４８】
そして、このホログラムレリーフ面を「反射面」と位置付けると、そのホログラムレリーフ面で「反射した光」が、所定の角度によって決まる反射方向へ、その直接像を出現させる。その共役像である実像も同様である。
【００４９】
本発明のホログラムシート等は、透明樹脂基材の一方の面に形成したホログラムレリーフ面を反射面とし、透明樹脂基材の他方の面から、参照光（照明光を意味する。）を入射させた際（例えば、ホログラムシート等の「垂直上方」から照明光を入射させることをいう。）、「透明樹脂基材の一方の面にホログラムレリーフが設けられたホログラム形成層」の中（すなわち、「ホログラム形成層」の中）を透過して、そのホログラムレリーフ面（反射面）で反射した光（３次元物体の情報を含んでいる光となっている。）が、再び、ホログラム形成層の中を透過して、参照光入射側に戻ってくるときに、ホログラム再生像を出現させる。
【００５０】
また、本発明のホログラムシート等は、ホログラム形成層のホログラムレリーフを形成していない面に、着色パターン層Ａが形成されており、その着色パターン層Ａが表している「パターン」（パターンａと称している。）が、「同色（一つの色）」の「パターン」（パターンａ）として、視認される。
【００５１】
さらに、本発明のホログラムシート等には、ホログラム形成層のホログラムレリーフを埋めるように形成された着色パターン層Ｂが設けられており、且つ、その着色パターン層Ｂのホログラムレリーフと接していない面が、斜面となっており、その着色パターン層Ｂが表している「パターン」（パターンｂと称している。）が、「同色（一つの色）」の「パターン」（パターンｂ）として、視認される。
【００５２】
そして、着色パターン層Ａの形成領域である「パターンａ」と、着色パターン層Ｂの形成領域である「パターンｂ」とが、特定の観察角度範囲において、「一つの色を有する一つのパターン」（パターンｃと称している。）を構成するように形成されているため、この「色」の同一性により、本発明のホログラムシート等には、その範囲において、あたかも一つの「パターンｃ」が形成されているように観察される。
【００５３】
そもそも、「色」とは、「物体」からの反射光を、色相(色合い)、彩度(鮮やかさ)、明度(明るさ)の３つの要素で視認し、認識される「情報」である。（３要素は、「色の三属性」とも呼ばれる。）
そして、慣用的に用いられる「色調」という語は、色の配合、色の濃淡や強弱などのぐあいを意味し、上記と同様に、「色相」、「彩度」及び「明度」を複合した概念であるが、本明細書では、この３要素からなるものを「色」という語で統一する。
【００５４】
従って、ここでいう「二つ以上の物体が同色である」とは、それらの「物体」が、「同一の色を呈する」ことであって、それらが、「同一の色相」、「同一の彩度」及び「同一の明るさ」を有していることを意味し、それらを視認したときに、それらが「同じ色」と認識されることをいう。
【００５５】
すなわち、着色パターン層Ａや、着色パターン層Ｂは、透明性を有する樹脂に、染料や顔料を分散し、且つ、溶解したものを用いるが、染料や顔料の種類、その分散性、溶解性、顔料粒子の大きさや、形状、その表面状態、その他の添加剤、そして、形成方法や、形成時の乾燥条件、硬化条件、さらには、その厚さや、界面の状態により、色相、彩度、明度が決まり、そして「色」が定まることとなる。
【００５６】
さらに、本発明のホログラムシート等の着色パターン層Ｂの形成厚さには傾斜があるため（着色パターン層Ｂの一方の面が略平面であるホログラムレリーフと接し、他方の面が斜面となっているため、その厚さは、徐々に、薄いほうから厚い方へと単調増加していることをいう。）、着色パターン層Ｂを形成する際に一つの組成のインキのみを用いたときには、着色パターン層Ｂの形成領域内において、若干の「色」の違いが視認される可能性がある。
【００５７】
その着色パターン層Ｂの傾斜角度（透明樹脂基材の「基材面」と「斜面」とがなす角度であって、これは、ホログラムレリーフの「面」と、「斜面」とがなす角度をも意味する。）は、本発明のホログラムシート等を観察する点（観察者の目の位置。）から通常３０ｃｍ程度の距離だけ離してその真正性を判断することを考慮して、５度〜４０度とすることができる。その中でも、１０度〜３０度とすることが好適である。
【００５８】
真正性の判断時に、例えば、３０ｃｍの距離だけ離して本発明のホログラムシート等を観察する際に、「着色パターン層Ｂの斜面によって反射される光」は本来秘匿されていなければならないが、傾斜角度が５度未満であると、「着色パターン層Ｂの斜面によって反射される光」の反射角度が、ホログラムレリーフの「面」に対して垂直方向に戻ってくる光（観察方向に向かう光。）に対して、１０度未満となり、それらの二つの光を同時に視認してしまうこととなり、「着色パターン層Ｂの斜面によって反射される光」の秘匿性が著しく低下する。
【００５９】
また、傾斜角度を４０度超とすると、その反射光と垂直方向に戻ってくる光との間の角度が８０度を超えることとなり、真正性を判断する際の視認がしづらくなると同時に、その判定の再現性、すなわち、判定の信頼性が低下する。
【００６０】
従って、秘匿性と判定の信頼性をより高いものとするために、着色パターン層Ｂの傾斜角度を、５度〜４０度とし、さらには、１０度〜３０度とする。
【００６１】
さらに、秘匿されている「着色パターン層Ｂの斜面によって反射される光」を、その真正性判定時に確実に視認できるようにするためには、その着色パターン層Ｂの斜面は平面であることが最も望ましく、少なくとも略平面とする必要がある。すなわち、その斜面が平面であれば、反射する光の反射角度のブレ幅を非常に狭いものとすることができ、そのような光が存在することを知らない第三者に発見される可能性を極限まで小さいものとすることができる。また、その斜面が略平面であったとしても、不要な回折現象を生じない程度に凹凸が小さいものであるか、または、凹凸面が単調に変化するような面であれば、上記と同様に反射する光のブレ幅を比較的狭いものとすることができる。また、着色パターン層Ｂが離散的に形成されたものである場合には、それぞれの形成部分におけるそれぞれの傾斜角度は同一であることが望ましく、異なるとしても、その差が５度未満、さらには、１度未満であることがより望ましい。
【００６２】
但し、着色パターン層Ｂの形成領域「パターンｂ」が、比較的大きな領域、例えば、縦５ｍｍ×横５ｍｍの正方形の領域であった場合、この領域に傾斜角度３０度の一つの斜面を形成するには、一つの端の厚さを０．０３ｍｍとした場合には、他端の厚さを（０．０３ｍｍ＋２．８ｍｍ）の厚さとする必要があり、このような厚さの着色層を形成することは凹版印刷方式や成形方式等により可能であるものの、その形成精度を高く維持することは困難である。
【００６３】
そこで、この縦５ｍｍ×横５ｍｍの領域を縦５０μｍ×横５０μｍの領域に分割し、その小さな個々の領域に対して、それぞれ傾斜角度３０度の斜面を形成することで、その形成精度を高くすることも好適である。
【００６４】
こうすることにより、縦５０μｍ×横５０μｍの領域の一端の着色層の厚さを１０μｍとした場合には、他端の着色層の厚さを３８μｍとすることで、３０度の傾斜角度の斜面を再現性よく形成することが可能となる。
【００６５】
さらには、縦５ｍｍ×横５ｍｍの領域を、縦５０μｍ×横５０μｍの領域に分割した後、その飛び飛びの位置のみに着色層を形成したり、直径５０μｍの網点領域の集合体とすることもその形成を容易とし、好適である。
【００６６】
そして、この着色パターン層Ａや、着色パターン層Ｂの裏面（背後という意味を含む。）に、反射性薄膜層を設けて光を反射させたときには、上記した傾向がさらに顕著に現れ、また、参照する光の波長分布や、強度分布によって、上記反射光の３要素が変化し、結果として、視認される「色」が異なるものとなってしまう可能性がある。
【００６７】
従って、本発明における「同一の色」を実現するためには、本発明のホログラムシート等を参照する際の、ホログラムシート等の中を透過または反射する光の挙動を踏まえ、調整して、最終的に、特定の範囲で観察される「色」を同一とする必要がある。
【００６８】
すなわち、その着色パターン層Ａにおいて視認される「色」を、その垂直上方で観察する際には、単純に着色パターン層Ａの最上面で反射される光だけでなく、着色パターン層Ａとホログラム形成層を透過し、反射性薄膜層で垂直方向に反射され（ホログラムレリーフ面で反射される０次回折光を意味する。）、再び、ホログラム形成層と着色パターン層Ａを透過して戻る光（戻り光ともいう。）を考慮に入れる必要がある。
【００６９】
また、着色パターン層Ａにおいて視認される「色」を、そのレリーフホログラムの再生方向で観察する際には、所定の角度をもって着色パターン層Ａの最上面で反射される光だけでなく、着色パターン層Ａとホログラム形成層を透過し、反射性薄膜層でホログラム再生方向に反射され（ホログラムレリーフ面で反射される±１次回折光を意味する。）、再び、ホログラム形成層と着色パターン層Ａを透過して戻る光を考慮に入れる必要がある。
【００７０】
さらに、着色パターン層Ｂにおいて視認される「色」を、その垂直上方で観察する際には、着色パターン層Ｂとホログラム形成層との界面で単純に反射される光（ホログラムは再生されないのでホログラム再生像を考慮する必要がない。）だけでなく、ホログラム形成層の透明性や、着色パターン層Ｂの厚さとその変化の度合いを考慮する必要がある。
【００７１】
また、その着色パターン層Ｂにおいて視認される「色」を、その斜面の反射方向で観察する際には、ホログラム形成層と着色パターン層Ｂを透過し、反射性薄膜層で正反射して、再び、着色パターン層Ｂとホログラム形成層を透過する光を考慮に入れる必要がある。（ここで、正反射とは、ある反射面に対して、光の入射角度と出射角度が等しい反射をいう。）
ここで、着色パターン層Ａや着色パターン層Ｂの「色」は、当然に、その表面での反射光だけでなく、着色パターン層Ａや着色パターン層Ｂの層内まで侵入し、層内にある着色顔料などによって反射される光を含むが、説明の簡略化のため、以下の説明においては、「着色パターン層Ａの表面での反射、または、着色パターン層Ｂの表面での反射」という表現に統一する。
【００７２】
いずれにしても、本発明のホログラムシート等においては、その垂直上方から観察する際に、着色パターン層Ａと、着色パターン層Ｂの「色」が「同一の色」を呈することが必須であり、且つ、その斜面の反射方向での観察において、着色パターン層Ａと、着色パターン層Ｂの「色」が異なる「色」を呈することが求められる。
【００７３】
もちろん、その斜面の反射方向での観察において、着色パターン層Ａと、着色パターン層Ｂの「色」が明確に異なる「色」を呈するようにしたり（「色差」が大きいことを意味する。）、さらには、そのような差が発現する観察角度（判定可能な角度範囲という意味。）を非常に狭いものとすることが真正性判定の信頼性、すなわち、偽造防止性を向上させるため、特に好ましい。
【００７４】
さらに具体的に説明すると、
ホログラム形成層の一方の面にホログラムレリーフを形成したホログラムシート等に、ホログラム形成層の他方の面から入射した参照光は、着色パターン層Ａの領域及び、その他の領域から、ホログラム形成層を透過し、ホログラムレリーフ面で反射すると同時に、ホログラム再生像の情報を含み、再び、ホログラム形成層を透過し、さらに、着色パターン層Ａの領域においては、着色パターン層Ａをも透過し、その他の領域においては、そのまま、観察者側に戻ってくる。
【００７５】
この際、ホログラム再生像を含んだ反射光は、上記したように、「物体光の位相や、振幅の情報」を含んでいるため、着色パターン層Ａの領域、すなわち、「パターンａ」の領域の「色」に、僅かではあるが「変化」を与えることになる。
【００７６】
これに対して、着色パターン層Ｂの視認性は、上記したようなホログラム再生像による影響を全く受けない。これは、着色パターン層Ｂが形成する「パターンｂ」の領域内においてホログラム再生像が発生しないためである。着色パターン層Ｂは、ホログラム形成層のホログラムレリーフを埋めるように形成されており、従って、着色パターン層Ｂが形成する「パターンｂ」の領域内においては、ホログラムレリーフ面（界面）にて、ホログラム形成層を構成する透明樹脂と、着色パターン層Ｂを構成する樹脂が、直接、「接着」しているため、この界面での反射が抑制され、この界面に入射する光は、この界面を単に「透過」してしまうこととなる（ホログラム情報を含まず、「素通り」するという意味。）。
【００７７】
従って、ホログラム形成層の一方の面にホログラムレリーフを形成したホログラムシート等に、垂直上方から入射した参照光は、ホログラム形成層を透過し、着色パターン層Ｂの領域、すなわち、「パターンｂ」の領域においては、ホログラムレリーフ面（界面）を透過（素通り）し着色パターン層Ｂをも透過して、反射性薄膜層に到達することとなり、また、着色パターン層Ｂの領域以外の領域、すなわち、「パターンｂ」の領域以外の領域においては、ホログラム形成層透過後、直接、反射性薄膜層に到達することとなる。
【００７８】
そして、着色パターン層Ｂの、ホログラムレリーフと接している面と反対側の面は、「斜面」となっており、この「斜面」に追従して、反射性薄膜層が接着しているため、この領域での「光の反射」は、この反射性薄膜層による「光の正反射光」となる。
【００７９】
この光の正反射における反射光（以下、正反射光ともいう。また、その反射する角度を正反射角度ともいう。）は、ホログラム再生像の情報を持たず、「パターンｂの形」をその「情報」（イメージ情報という意味。）として、反射方向へ進み、再び、着色パターン層Ｂ及びホログラム形成層を「透過」して、その観察側に戻ってくるため、観察側において「パターンｂ」をその「色」において鮮明に視認することとなる。
【００８０】
すなわち、本発明のホログラムシート等を観察する際に、例えば、その垂直上方から観察した場合には、「パターンｂ」の領域内には、ホログラム再生像が視認されず、形成した着色パターン層Ｂの「色」そのものを確認することができ、しかも、その着色パターン層Ｂの斜面上に設けられた反射性薄膜層の反射光は、その正反射角度に反射されて、垂直上方には戻ってこないため、反射性薄膜層の反射光がその「色」に影響を及ぼすことはない。
【００８１】
従って、垂直上方からの観察において、着色パターン層Ａの「色」と、着色パターン層Ｂの「色」とを「同一」とするには、  着色パターン層Ａにおいては、参照光がその着色パターン層Ａの表面で反射される、その反射光と、その着色パターン層Ａを透過し反射性薄膜層で反射して戻ってくる戻り光の割合を調整し、表面での反射光の割合を多くすることが求められ、着色パターン層Ｂにおいては、反射性薄膜層からの垂直方向への戻り光がないため、着色パターン層Ｂの形成領域である「パターンｂ」の領域の厚さ変化を踏まえてその領域内の「色」を同一に調整する必要があるとともに、ホログラム形成層の透明性を確保することが求められる。
【００８２】
このような「視認性の違い」（「パターンａ」、及び「パターンｂ」の各々の「見え方」が、「色の違い」を根拠として、「異なるもの」として認識されたり、「同一の色」と認識されたりすることを意味する。）を有する、着色パターン層Ａの「パターンａ」と、着色パターン層Ｂの「パターンｂ」とが、特定の観察条件下では、「同一の色を有する一つのパターンｃ」であるがごとく形成されているため、ホログラム再生像の光が進む方向や斜面の正反射角度以外の観察角度においては、この「色」の同一性により、本発明のホログラムシート等上には、単に、「一つの色を有する、一つのパターンｃ」が形成されているように観察される。（この「特定の観察条件」は、ホログラムシート等を真正面から観察する場合のような、ごく一般的な観察条件とすることが好ましい。）
しかし、ホログラム再生像が発現する方向（角度）において、観察すると、全く「色」に変化を生じない「パターンｂ」と、僅かに「色」に変化を生じる「パターンａ」とで、確実に判別可能な「色差」が発生し、「パターンｃ」が、単一の「一つのパターン」ではなく、２種類の「パターン」で構成されていることが判読されることとなる。
【００８３】
さらに、その斜面の正反射角度において、観察すると、「パターンｂ」が反射性薄膜層での正反射光が着色パターン層Ｂの背後から照明するような状態となり、「パターンｂ」の明るさが明るい方へ変化して、「パターンａ」との間で、確実に判別可能な「色差」が発生し、「パターンｃ」が、単一の「一つのパターン」ではなく、２種類の「パターン」で構成されていることがこの角度においても判読されることとなる。
【００８４】
この「視認性の違い」は、一方のパターンが、限られた所定の観察角度を除いて、それ以外の観察角度範囲においては、観察角度に依存せず、一定の色にて、「安定」して視認できるものとして認識され、他方のパターンが、観察角度を変えたとき（ホログラムシート等をそのシート等の平面内において回転させる等により、ホログラム再生像の再生方向を変えることができ、そのことは、相対的に、その観察角度を変えたこととなる。）、その「色」が、変化しやすく、いわば「不安定」なものとして認識されることを意味すると言うこともできる。
【００８５】
ここでいう「色差」とは、例えば、Ｌ*ａ*ｂ*色度図（ＬＡＢ表色系）における△Ｅ｛＝（△ａ2＋△ｂ2＋△Ｌ2）1/2）｝で表される「色差」であって、「同色」とは、この「色差」が、０．５以下となることを意味する。
【００８６】
国際照明委員会（ＣＩＥ）が提唱する表色系には、その他、ＲＧＢ系、ＸＹＺ系（Ｙｘｙ系）、ＵＶＷ系（Ｌｕｖ系）等があるが、これらは相関しており、容易に換算が可能であって、その換算値を用いることもできる。
【００８７】
そして、「色」の変化は、この△Ｅが０．５を超えると「差があるもの」として認識され（ＳＬＩＧＨＴ：差がわずかに感じられる。）、１．５を超えると明確にその「違い」を視認できる（ＮＯＴＩＣＥＡＢＬＥ：差がかなり感じられる。）。
【００８８】
そもそも、本発明のホログラムシート等を観察する一般的環境は、上記した種々の用途において、そのホログラムシート等を適用した物品等を使用する環境であって、身に着けたり、持ち運びする場合には、屋外環境であったり、外出先のデパートやショッピングモール等の室内環境となり、家庭内に据え置くものに適用した場合には、その家庭内環境となる。
【００８９】
屋外環境においては、太陽光線や、その太陽光線が建物等で反射した光が入射光となり、室内環境においては、デパート等や、ショッピングモール等、さらには、一般家庭内の照明である蛍光灯等が光源となって、その蛍光灯等が発する光が入射光となるため、その角度は、複数、且つ、様々であり、それら多数の入射光によって、個々に対応するホログラム再生像が発現する。
【００９０】
従って、この着色パターン層Ａの「パターンａ」は、それら対応する複数のホログラム再生像が発現する角度において、その度に、その「色」を変化させることとなり、他方、着色パターン層Ｂの「パターンｂ」の領域は、非常に限られた所定の角度方向（反射性薄膜層の正反射角度方向。）にたまたま照明光源が存在していた場合を除き、一つの「色」を常に呈することとなる。しかも、そのような偶然によって、所定の角度に照明光源が存在したとしても、その一つや二つの照明光源からの照明光の量は、室内全体の照明光源による照明光の量と比較すると無視できる。
【００９１】
これは、所定の角度が非常に狭く設定してあり、しかも、観察者とホログラムシート等を結ぶ線から左右に外れるものは対象外となるため、着色パターン層Ｂの「色」に影響を及ぼすと考えられる角度範囲は、非常に狭い範囲に限定されるためである。（例えば、ホログラムシート等を中心とするドーム状の半円球の曲面を想定したとき、その曲面上の中で、該当する範囲が、その曲面の面積全体に比較し、１／１００未満となるという意味である。）
従って、観察者は、照明光源を着色パターン層Ｂの「色」に影響を及ぼす角度範囲内にのみに配置するような方法（その光源以外の周辺の光源を遮蔽するという意味。これが真正性判定方法の一例である。）をとらない限り、着色パターン層Ｂの「色」の変化に気づくことはない。
【００９２】
このように、「パターンｂ」が「一定」の色を呈することは、この「色」を基準として、僅かに色が変化する「パターンａ」を「対比する」ことを可能にしており、この「対比」により、確実な真正性判定を実現している。
【００９３】
さらに、着色パターン層Ａ及び着色パターン層Ｂを、比較的隠ぺい性が高いもの、例えば、可視光透過率にして１０％〜３０％（層内を往復して戻る光は１％〜９％になる。）とし、ホログラム再生像を発現する反射光や、斜面での正反射光を僅かなものとすると（透過後のホログラム再生像のホログラム再生効率を回折格子換算の回折効率で表して、２０％以上とする必要があり、好適には３０％以上とする。）、ホログラムシート等を一瞥したのみでは、上記した「視認性の差」を「認識し難いもの」とすることができ、この僅かな「視認性の差」が存在することを知り得る者（正当な権利を有する者を意味する。）のみが、その「差」を探し出すようにして判読し、真正性を判定することができるようにすることも好適である。
【００９４】
また、「パターンａ」を、ホログラム再生像を発現しない方向から観察した場合には、その背後にある反射性薄膜層からの均一な反射光を受けて、その領域の隅々まで一様な明るさを付加された、同一の「色」として観察される。
【００９５】
この反射光は、「パターンａ」においては、ホログラムレリーフ面及びその面に追従して形成されている反射性薄膜層からの「０次回折光」であって、その強度は均一であり、そして、その反射角度は、垂直方向となる。
【００９６】
そして、「パターンｂ」を垂直上方から観察した場合には、着色パターン層Ｂの下の「斜面」及び、その面に追従して形成されている反射性薄膜層からの「正反射光」は観察者の方には戻ってこないため、背後からの明るさは付加されない。
【００９７】
従って、このような「パターンａ」と「パターンｂ」を同一の「色」とするためには、少なくとも、着色パターン層Ｂの「明度」を着色パターン層Ａよりも上げるか、または、着色パターン層Ａの厚さを着色パターン層Ｂの厚さより厚くして、光の透過性を下げる必要がある。
このような調整により、「パターンａ」と「パターンｂ」の視認性を同一とする。（ここでいう「視認性が同一」とは、それらの戻り光を色差計等により光学的に測定した場合に、「同一の色」となることを意味することは言うまでもない。）
例えば、観察者に対して、「パターンｂ」から戻ってくる光と、「パターンａ」から戻ってくる光との比が、（１．５）対（１）のときには、着色パターン層Ｂと着色パターン層Ａに、同一の透明樹脂、同一の染料または顔料を用い、その厚さの比を（１．５）対（１）とする等の調整を行う。
【００９８】
もしくは、着色パターン層Ｂに、透明性を維持しながら透過する光を散乱させる効果を有する、シリコン樹脂等の透明な微粒子を添加することも、その調整が容易であるため好適である。
【００９９】
また、着色パターン層Ａの透明性を高いものとし、ホログラム再生像のホログラム再生効率を回折格子換算の回折効率で表して、２０〜４０％と高くすると、反射性薄膜層からホログラム再生像の強い光が反射してくるため、ホログラムシート等の全体領域が明るくなって、着色パターン層Ａの「パターンａ」の領域と、その領域の周辺領域とのコントラスト（明るさの差）が小さくなり、あたかも「パターンａ」が消失したように視認されるため、このように「消失」する部分を混入させることも、その偽造防止性を高めるためには好適である。
【０１００】
ここで、回折効率は、光源として、半導体レーザー（例えば、キコー技研 ＭＬＸ標準コリメートレーザー：電圧ＤＣ４．８〜６．５Ｖの平行光時ビーム径拡大６ｍｍ）を用い、入射光強度に対する反射光強度の割合（％）で求めることができる。
【０１０１】
また、着色パターン層Ａと着色パターン層Ｂを、いずれも透明性の高いものとすると、「パターンａ」においては、ホログラムレリーフの０次回折光が、正反射光として強く反射し、明るい「色」を有する領域となり、「パターンｂ」に用いられる着色パターン層Ｂの「明るさ」を挙げることにより、その「視認性の差」を僅かなものとすることができるが、これらの効果は、反射性薄膜層そのものの光の反射率が高い場合（照明光となる可視光線の反射率が７０％以上の場合。）に顕著に表れる。
【０１０２】
逆に、着色パターン層Ａと着色パターン層Ｂを隠ぺい性の高いものとしたときには、反射性薄膜層そのものの光の反射率が低い場合（照明光となる可視光線の反射率が３０％以下の場合。）にさらに顕著に表れることとなる。
【０１０３】
以上のように、着色パターン層Ａの上下の面、及び、着色パターン層Ｂの下の面、の形成形状は、透過乃至は反射する光に対して、散乱性を持たず、「平坦な面」（「鏡面」に近いものを意味する。）とする必要があり、ステンレススクリーン印刷方式、凹版方式、レジスト処理方式、さらには、着色層転写方式を用い、インキとしては、透明な樹脂に、その樹脂に溶解性の高い染料を混入させるか、もしくは、透明な樹脂に、粒径の小さい顔料を混入させ、その顔料が二次凝集しないように、ボールミルや、ニーダー等を用いて、顔料を樹脂中に十分に分散させたものを用いることが好ましい。
【０１０４】
また、オフセット印刷方式や、グラビア印刷方式、シルクスクリーン方式を用いる場合には、形成時のインキの粘度調整、及び、乾燥条件の管理により、上記のような「平坦な面」を実現する必要がある。
【０１０５】
着色パターン層Ａの厚さは、２．０μｍ〜２０μｍであり、その平坦性は、表面粗さＲａで表して、可視光の波長以下、すなわち、０．１μｍ〜０．５μｍとする。
【０１０６】
２．０μｍ未満では、安定した「色」を呈することができず、２０μｍを超えると、その段差が視認できるようになるため不都合である。
【０１０７】
また、平坦性については、Ｒａが０．５μｍを超えると光の散乱性が高くなり、その界面での光の反射が多くなって、その界面の視認性と、着色パターン層Ｂの視認性との間に、大きな差を生じることとなるため不都合である。平坦性は、もちろん、０．１μｍ未満とすることが好ましいが、印刷方式や、レジスト処理方式等において形成する場合には、物理的な困難性を伴うものとなる。
【０１０８】
ホログラムレリーフ面は、その凹凸の形状そのものが、「３次元物体」の立体形状（位相）や、立体表面の反射強度（強度）を再現して、ホログラム再生像を結像し、その凹凸形状の精密性が、再現するホログラムの鮮明性に直結している。
【０１０９】
ホログラムは、ホログラム再生の冗長性から、ホログラムレリーフの一部を消失（ホログラム再生像が結像する方向へ光が進行しない部分を設けるという意味。）しても、その鮮明性には影響を及ぼさないという性質を持つものの、それは、不要な光の成分が加わらないことによることを意味し、例えば、その凹凸形状に変形を加えた場合は、ホログラム再生像を形成する光の位相や強度を歪めることから、その変形が僅かであっても、ホログラム再生像の鮮明性を低下させることとなる。
【０１１０】
従って、そのホログラムレリーフ面に、０．０１μｍ厚さの僅かな油等の汚れが付着したり、微細な傷や凹みがついたり、僅かであっても凹凸が歪むような圧力が加わったりすると、その鮮明性の低下を招き、その真正性の判定を不安定なものとする。
【０１１１】
このため、着色パターン層Ｂをホログラムレリーフ面上に形成する際には、細心の注意が必要であり、着色パターン層Ｂを設ける領域以外の凹凸面には、何らの作用も生じない方法を用いる。
【０１１２】
このことから、オフセット印刷方式や、グラビア方式は、その原理から、着色パターン層Ｂ形成領域以外の凹凸面に、版胴が押し付けられ、その圧力のみならず、溶剤や湿し水が付着するという課題を有する。
【０１１３】
従って、原理的に、着色パターン層Ｂを設ける領域のみに作用する方式である、ステンレススクリーン方式や、あらかじめパターン状に着色層を形成した転写シートを用いて、その着色層部分のみを転移させる着色層転写方式を用いることが好ましい。
【０１１４】
もちろん、ホログラムレリーフに使用される透明樹脂をその表面強度の大きい電離放射線硬化タイプとして、ホログラムレリーフ形成後に十分硬化させ、且つ、着色パターン層Ｂを形成する際には、そのホログラムレリーフに全く影響を及ぼさない純度の高い溶剤や、純度の高い水（純水等。）を用いて、余分な付着物を後処理において除去可能とするなどの手法も好適である。
【０１１５】
着色パターン層Ｂの厚さは、着色パターン層Ａの厚さに対応して決められるが、少なくとも、ホログラムレリーフを埋めることが可能であって、且つ、一方の面が「斜面」となるのに十分な厚さが必要であり、着色パターン層Ｂの断面形状を台形で例えた場合には、まず、その土台となる部分の厚さは２．０μｍ〜１０μｍとする。
【０１１６】
そして、土台の上にある直角三角形の部分（台形は、土台となる長方形の上に直角三角形が乗せられている形状といえる。）は、「斜面」の傾斜角度によってその形状が決まることとなる。
【０１１７】
着色パターン層Ｂの形成領域である「パターンｂ」の領域の大きさが、例えば、１００μｍ×１００μｍであった場合には、傾斜角度が５度のときは、その直角三角形の形状は、一方の端を０μｍとし、他方の端を８．７μｍとすることになる。また、傾斜角度が４０度のときは、一方の端を０μｍとし、他方の端を６２．８μｍとすることになる。
【０１１８】
このとき、１００μｍ×１００μｍの領域を１０μｍ×１０μｍに細分化し、個々の１０μｍ×１０μｍの小さな領域のそれぞれに小さな直角三角形を乗せるという意味で一方の端に０μｍ、他方の端に６．３μｍの上乗せをすることでも傾斜角度４０度の斜面を得ることができる。
【０１１９】
そして、その斜面の平坦性は、０．１μｍ〜１．０μｍとする。
【０１２０】
ホログラムレリーフの凹凸深さは、０．１μｍ〜２．０μｍであるため、その土台となる部分の厚さは、２．０μｍ以上とし、その段差を目立たなくするため、１０μｍ以下とする。平坦性については、その面が、着色パターン層Ｂの下となって目立たなくなるため、着色パターン層Ａよりやや粗いものであっても、その視認性には影響しない。
【０１２１】
但し、着色パターン層Ｂの断面形状を台形とすることは、着色層の厚いところと薄いところ、上記のサイズが１００μｍ×１００μｍで、傾斜角度が５度の例では、土台２．０μｍ上に、一方の端に０μｍ、そして、他方の端に８．７μｍの上乗せを行うため、その厚さは、薄いところで２．０μｍ、厚いところで１０．７μｍとなる。
【０１２２】
従って、着色パターン層Ｂを一つの組成のインキで形成すると、一方の端と他方の端とで大きな「色」の差が生じてしまう。そこで、１００μｍ×１００μｍの領域を傾斜方向に１０分割し、厚さが大きくなるにつれて、その顔料または染料濃度を徐々に薄めていく手法を用いる。
【０１２３】
また、上記したように、１００μｍ×１００μｍの領域を１０μｍ×１０μｍに細分化して斜面を形成する場合には、一つ一つの小さな領域内では、薄い方から厚い方へと「色」が徐々に変化しているものの、１００μｍ×１００μｍの領域全体でみれば、均一な「色」を呈するようにすることができる。
【０１２４】
すなわち、１００μｍ×１００μｍの一方の端の１０μｍ×１０μｍの「色」（領域内は「色」が変化している。）と、他方の端の１０μｍ×１０μｍの「色」（この領域も領域内で「色」が変化している。）とが、その内側における「色」の変化状況が同一であり、結果として、この二つの領域の「色」は全く同一ということができる。そして、この分割が微細であるため、観察者にとって、「パターンｂ」の全体が一つの「色」を呈すると認識できるものである。
【０１２５】
「パターンａ」や、「パターンｂ」、そして、それらが一つとなった「パターンｃ」としては、文字、図形、記号、及びそれらの組み合わせを用いることができる。
【０１２６】
特に、ブランドや、メーカー等が使用している「ロゴ」のように、互いに離間している（接していないという意味。）、複数の文字から構成されるものが好適であって、文字毎に、着色パターン層Ａと着色パターン層Ｂとを交互に変化させても良いし、複数の文字の「一文字」のみを着色パターン層Ｂとし、残りの文字を全て着色パターン層Ａとするものであっても良い。
【０１２７】
これは、「視認性」の差が、「一文字」の中の一部のみで発生し（着色パターン層Ａ）、他の部分は変化しないもの（着色パターン層Ｂ）とした場合には、真正性を判定する者が、その「変化」を判定する際に、「偽造防止のために意図して設けられたもの」か、「単なる印刷ムラ」なのかを判別することが困難なものとなるためであり、「一文字」全体が、「一様に変化」するか、「一様に変化しない」かを判定させることにより、判定の信頼性を確保するためである。
【０１２８】
また、着色パターン層Ａ（「パターンａ」）と、着色パターン層Ｂ（「パターンｂ」）とを接して形成し、それを合体したものを「パターンｃ」とすると、「パターンｃ」内に、その境界線が発生して、その境界線上で二つの領域を見比べることを可能とし、その二つの領域に何らかの差があることを容易に気付かせる要因となる。
【０１２９】
しかも、その境界線領域において、着色パターン層Ａと着色パターン層Ｂとが、部分的に重なった場合には、その境界線領域が別の「色」を呈し、判定の信頼性を大幅に低下させることとなる。
【０１３０】
さらに、着色パターン層Ａ（「パターンａ」）と、着色パターン層Ｂ（「パターンｂ」）の占める領域の大きさは、上記した「ロゴ」等の大きさ（例えば、ロゴを表す線の線幅が２ｍｍ。）であれば十分であるが、上記したそれぞれの層の効果を十分に引き出すためには、少なくとも、１００μｍ以上の線幅を有することが必要である。
【０１３１】
この線幅は、例えば、「文字を表す画線の内の一つの画線の幅」を意味し、これが、１００μｍ未満であると、反射性薄膜層からの反射光に埋もれて、その「色」の変化を判読し難くなる。
【０１３２】
ホログラム形成層を形成するには、透明樹脂基材にあたる、透明性を有する感光性樹脂材料にホログラムの干渉露光を行なって現像することによって直接的に形成することもできるが、予め作成したレリーフホログラムもしくはその複製物、またはそれらのメッキ型等を複製用型として用い、その型面を上記の樹脂材料からなる透明樹脂基材に押し付けることにより、賦型を行なうか、もしくは、射出形成や、押し出し成型の型を上記の複製用型として用い、成形と同時に形成することも好適である。
【０１３３】
ホログラムとしては、レインボーホログラム等を用いることができるが、「パターンｃ」と同様のデザインの回折格子パターンとすることも、「パターンａ」と、「パターンｂ」の視認性の「差」を隠ぺいする効果を生じ、より偽造防止性に優れるものとすることができる。
【０１３４】
このレインボーホログラムや、回折格子パターンは、一つの光源からの光に対する再生方向（回折方向）が、「光」の波長成分に依存して異なり、一つの角度ではなく、比較的広い角度へと再生像が発現する（回折光が進む。）ため、安定して、「パターンａ」の変化を視認することができ、好適である。
【０１３５】
その一方の面（ホログラムレリーフ形成面）、及び他方の面にそれぞれ、着色パターン層Ｂ及び、着色パターン層Ａを上記したように形成し、さらに、その着色パターン層Ｂ上と、その着色パターン層Ｂを形成しておらずホログラムレリーフ面が露出している領域上に、それらの面形状に追従するように、反射性薄膜層を形成する。
【０１３６】
反射性薄膜層には、アルミニウム等の金属薄膜や、ＴiＯｘ等の金属酸化物薄膜、さらには、金属窒化物薄膜を用い、真空蒸着法等の物理的形成方法、もしくは、ＣＶＤ（化合気相成長）法等により形成することができる。
【０１３７】
この反射性薄膜層を形成した際に、着色パターン層Ｂの端部に存在する「段差」（１０μｍ厚さで形成すると、１０μｍの段差となる。）が、反射性薄膜層の付着ムラや、反射性薄膜層用材料の変質等により、その光反射性にムラを生じて（目立って）、着色パターン層Ａの段差に対して、「明らかな差（視認性の差）」を生じてしまうことを解消するため、「パターンｂ」領域の端部（境界領域）の５μｍ〜２０μｍに「階調（グラデーション）」を設け、且つ、同様の「階調」を「パターンａ」の端部にも設ける等の工夫を施すことは、偽造防止性を高くするためにも好適である。この「諧調」領域は、上記の「斜面」を形成する領域とは考えず、「斜面」を取り囲む、「周辺領域」と位置づけるものとする。
【０１３８】
その「階調」を施す方法としては、その厚さを１０μｍ、５μｍ、及び１μｍと徐々に小さくするか、もしくは、その領域を厚さ１μｍの適宜な大きさの網点領域として、その段差の視認性を抑制する方法が好適である。
【０１３９】
また、観察者が、「パターンａ」領域の色と、「パターンｂ」領域の色を視認する場合、単純には、「着色パターン層Ａで反射する光」と、「一旦、ホログラム形成層を通過し、着色パターン層Ｂで反射して、再び、ホログラム形成層を通過して戻ってくる光」とを比較するため（特に、着色パターン層Ａと、着色パターン層Ｂの隠ぺい性が高い場合に顕著となる。）、その色差を小さくするために、ホログラム形成層の透明性は高いことが望ましく、その透明性を示す指標である、「ヘーズ」として１０％以下とする。さらには、「ヘーズ」を１％以下とすることがより好適である。
【０１４０】
この「ヘーズ」が１０％を超えると、着色パターン層Ｂの視認性が低下するとともに、「色」を判定する際に、「色」の３要素とは異なる要素である、「色のにごり」が発生し、「パターンａ」と「パターンｂ」の「色」を同一とすることが困難となる。
【０１４１】
さらに、着色パターン層Ａの透明性が高い場合には、着色パターン層Ａの「ヘーズ」も１０％以下とする必要がある。着色パターン層Ａを透過した光は、その背後にあるホログラムレリーフに届き、そのホログラムレリーフにおいて、十分な光の回折現象を生じ、鮮明なホログラム再生像を出現させなければならないが、この着色パターン層Ａの「ヘーズ」が１０％を超えるとこの回折現象が十分に発現せず、不鮮明なホログラム再生像となるためである。
【０１４２】
「ヘーズ」を、１０％以下に抑えるためには、
ホログラム形成層においては、ホログラム形成層となる透明樹脂基材に「ヘーズ」が１０％以下の透明な樹脂を用い、着色パターン層Ａにおいては、「ヘーズ」が５％以下の透明な樹脂を用い、その樹脂に相溶する染料を１％〜１０％添加したものを用いるか、「ヘーズ」が２％以下の透明な樹脂を用い、その樹脂に分散性の良い微粒子有機顔料もしくは、微粒子無機顔料を、１％〜５％添加したものを用いる。
【０１４３】
これにより、着色パターン層Ａの視認性をより明確なものとし、その偽造防止性をさらに高めることができる。
【０１４４】
また、着色パターン層Ｂは、ホログラム形成層のホログラムレリーフを埋めるように形成されているが、そのホログラム形成層と着色パターン層Ｂとで形成されている「界面」を、ホログラムシート等に入射した「光」が通過（透過）する際に、その「光」が、不要な「位相」変化や、「強度」変化を受けないことが望ましい。
【０１４５】
特に、着色パターン層Ｂが透明であって、ホログラム形成層のホログラムレリーフを埋めるように形成されている場合には、その「界面」を、ホログラムシート等に入射した「光」が比較的多く通過（透過）するため、その通過する「光」が、不要な「位相」変化や、「強度」変化を受けないことが必須となる、これは、この界面において「位相」変化や「強度」変化を受けると透過型ホログラム再生像を反射性薄膜層の正反射光の中に出現させてしまい、偽造防止性を低下させることとなるからである。
【０１４６】
そのために、ホログラム形成層の屈折率と、着色パターン層Ｂの屈折率を同一、もしくは、その屈折率差を０．１以下とする。
【０１４７】
その屈折率差が「０」の場合には、その「界面」そのものが存在しないように「光」が透過し、また、屈折率差が存在したとしても、その屈折率差が「０．１以下」の場合には、その「光」に対する不要な「位相」変化や、「強度」変化を十分に抑制することができ、着色パターン層Ｂによる、ホログラムレリーフを消失させる効果をより明確なものとして、その偽造防止性をさらに高めることができる。
【０１４８】
また、上記した、反射性薄膜層の上に、溶剤系もしくは水系の粘着剤を設けることにより、ホログラムラベルとする。
【０１４９】
このことにより、種々の用途における、被貼着体への適用を容易とすることができる。
【０１５０】
反射性薄膜層の下にある着色パターン層Ｂへの影響を抑制するためには、水系の粘着剤を用いることが好ましい。
【０１５１】
さらに、上記したホログラムシートの反射性薄膜層の上に、溶剤系もしくは水系の接着剤層を設け、さらに、着色パターン層Ａの領域においては着色パターン層Ａを覆い、且つ、着色パターン層Ａを設けていない領域においては、ホログラム形成層である透明樹脂基材が露出している領域を覆う、透明基材を設けて、ホログラム転写シートとする。
【０１５２】
このとき、透明基材は、透明基材と、着色パターン層Ａ、もしくは、ホログラム形成層との剥離が容易なものを用いる。
【０１５３】
このことにより、偽造防止性を付与する対象物へ容易に適用でき、且つ、適用後、透明基材を剥離すると、残った層が非常に薄いため、もはや、その残った層を剥がすことを物理的に難しくでき、偽造防止性の高いものとすることができる。
【０１５４】
このときの各層の形成順序は、例えば、透明基材の上に、着色パターン層Ａを設け、その着色パターン層Ａを覆うようにして、ホログラム形成層を設け、ホログラムレリーフを形成し、その上に、着色パターン層Ｂを設け、それらを覆うように反射性薄膜層を設けた後に、その反射性薄膜層上に接着剤層を設ける順序とすることができる。
【０１５５】
この場合には、透明基材の上に、透明基材との剥離性を有する「剥離層」を追加しても好適である。
【０１５６】
また、この順序で設けた場合には、着色パターン層Ａが、ホログラム形成層の中に埋め込まれているため、偽造防止性を付与する対象物へ転写後、透明基材を剥がした状態で、その剥がした面が面一（着色パターン層Ａが飛び出していないという意味。）であるため、偽造防止性にさらに優れるものとなる。
【０１５７】
本発明のホログラムシート等を、蛍光灯下で観察したところ、ホログラム再生像が発現しない方向、且つ、斜面の正反射光の進行方向ではない方向においては、着色パターン層Ａの領域である「パターンａ」も、着色パターン層Ｂの領域である「パターンｂ」も、同一の「色」に見え、一つの「色」からなる「一つのパターンｃ」として認識できた。
【０１５８】
このホログラムシートを、ホログラムシート面内において、所定角度回転させ、且つ、観察する方向を所定の方向へと少し変えたところ、ホログラム再生像が発現する方向となり、「パターンａ」のみ「色」に変化が生じて、その真正性を容易に確認することができた。さらに、このホログラムシートに対して、照明光源を一つとし、その照明光源、ホログラムシート、及び、観察位置の空間配置を変化させ、照明光源からの照明光が着色パターン層Ｂの斜面で正反射して出てくる方向に観察位置がくるように動かしたところ、その配置にぴったりと合致したところで、「パターンｂ」のみ「色」に変化が生じ、真正性を確認することができた。
【０１５９】
また、本発明のホログラムラベルを適宜な被貼着体へ貼り付けた状態で、同様の効果を確認することができた。
【０１６０】
さらに、本発明のホログラム転写シートを用いて、適宜な対象物へ転写した状態でも、同様の効果を確認できた。
【図面の簡単な説明】
【０１６１】
以下、本発明の実施形態について、図面を参照しながら、詳細に説明する。
【図１】本発明の一実施例を示すホログラムシートＨの断面図である。
【図２】本発明の別の実施例を示すホログラムラベルＨ´の断面図である。
【図３】本発明のさらに別の実施例を示すホログラム転写シートＨ´´の断面図である。
【発明を実施するための形態】
【０１６２】
（透明樹脂基材からなるホログラム形成層、すなわち、透明樹脂基材の一方の面にホログラムレリーフが設けられたホログラム形成層。以下、単に、ホログラム形成層ともいう。）
本発明のホログラムシートＨのホログラム形成層１を構成するための透明樹脂基材に用いられる樹脂材料としては、各種の熱可塑性樹脂、熱硬化性樹脂、もしくは電離放射線硬化性樹脂を用いることができる。熱可塑性樹脂としてはアクリル酸エステル樹脂、アクリルアミド樹脂、ニトロセルロース樹脂、もしくはポリスチレン樹脂等が、また、熱硬化性樹脂としては、不飽和ポリエステル樹脂、アクリルウレタン樹脂、エポキシ変性アクリル樹脂、エポキシ変性不飽和ポリエステル樹脂、アルキッド樹脂、もしくはフェノール樹脂等が挙げられる。（図１参照。）
これらの熱可塑性樹脂及び熱硬化性樹脂は、１種もしくは２種以上を使用することができる。これらの樹脂の１種もしくは２種以上は、各種イソシアネート樹脂を用いて架橋させてもよいし、あるいは、各種の硬化触媒、例えば、ナフテン酸コバルト、もしくはナフテン酸亜鉛等の金属石鹸を配合するか、または、熱もしくは紫外線で重合を開始させるためのベンゾイルパーオキサイド、メチルエチルケトンパーオキサイド等の過酸化物、ベンゾフェノン、アセトフェノン、アントラキノン、ナフトキノン、アゾビスイソブチロニトリル、もしくはジフェニルスルフィド等を配合しても良い。
【０１６３】
また、電離放射線硬化性樹脂としては、エポキシアクリレート、ウレタンアクリレート、アクリル変性ポリエステル等を挙げることができ、このような電離放射線硬化性樹脂に架橋構造を導入するか、もしくは粘度を調整する目的で、単官能モノマーもしくは多官能モノマー、またはオリゴマー等を配合して用いてもよい。
【０１６４】
上記の樹脂材料を用いてホログラム形成層１を形成するには、感光性樹脂材料にホログラムの干渉露光を行なって現像することによって直接的に形成することもできるが、予め作成したレリーフホログラムもしくはその複製物、またはそれらのメッキ型等を複製用型として用い、その型面を、上記の樹脂材料をプレス成型や、射出成型、ブロー成型等により作成した透明樹脂基材に押し付けることにより、賦型を行ない、ホログラムレリーフ２を形成する。（図１参照。）
熱硬化性樹脂や電離放射線硬化性樹脂を用いる場合には、型面に未硬化の樹脂を密着させたまま、加熱もしくは電離放射線照射により、硬化を行わせ、硬化後に剥離することによって、硬化した透明樹脂基材の片面にレリーフホログラムの微細凹凸を形成することができ、この微細凹凸がホログラムレリーフ２となる。なお、同様な方法によりパターン状に形成して模様状とした回折格子を有する回折格子形成層も光回折構造（すなわち、ホログラム形成層１のホログラムレリーフ２。）として使用できる。
【０１６５】
ホログラムは、物体光と参照光との光の干渉による干渉縞を凹凸のレリーフ形状で記録されたもので、例えば、フレネルホログラムなどのレーザ再生ホログラム、及びレインボーホログラムなどの白色光再生ホログラム、さらに、それらの原理を利用したカラーホログラム、コンピュータジェネレーテッドホログラム（ＣＧＨ）や、ホログラフィック回折格子などがある。また、マシンリーダブルホログラムのように、その再生光を受光部でデータに変換し所定の情報として伝達したり、真偽判定を行うものであってもよい。
【０１６６】
微細な凹凸（すなわち、ホログラムレリーフ２。）を精密に作成するため、光学的な方法だけでなく、電子線描画装置を用いて、精密に設計されたレリーフ構造を作り出し、より精密で複雑な再生光を作り出すものであってもよい。このレリーフ形状は、ホログラムを再生する光もしくは光源の波長（域）と、再生する方向、及び強度によってその凹凸のピッチや、深さ、もしくは特定の周期的形状が設計される。凹凸のピッチ（周期）は再生角度に依存し、通常０．１μｍ〜数μｍであり、凹凸の深さは、再生強度に大きな影響を与える要素であって、通常０．１μｍ〜２μｍである。
【０１６７】
単一回折格子のように、全く同一形状の凹凸の繰り返しであるものは、隣り合う凹凸が同じ形状であればある程、反射する光の干渉度合いが増しその強度が強くなり、最大値へと収束する。回折方向のぶれも最小となる。立体像のように、画像の個々の点が焦点に収束するものは、その焦点への収束精度が向上し、再生画像が鮮明となる。
【０１６８】
さらに、透明金属化合物薄膜の場合は、その薄膜の上下の面が、同一レリーフ形状であり且つ、その面と面の距離（すなわち膜厚）が均一であればあるほど、再生強度が大きくなる。また、レリーフ面にホログラム画像の凹凸とは異なる周期や形状の凹凸が存在すると、それはホログラムもしくは回折格子の再生時のノイズとなり、画像を不鮮明にする要因となる。
【０１６９】
レリーフ形状を複製（賦形ともいう。）する方法は、回折格子や干渉縞が凹凸の形で記録された原版をプレス型（スタンパともいう。）として用い、上記ホログラム形成層１上に、もしくは、下記する反射性薄膜層５上に、その原版を重ねて加熱ロールなどの適宜な手段により、両者を加熱圧着して、原版の凹凸模様を複製することができる。形成するホログラムパターンは単独でも、複数でもよい。
【０１７０】
上記の極微細な形状を精密に再現するため、また、複製後の熱収縮などの歪みや変形を最小とするため、原版は金属を使用し、低温、且つ、高圧下で複製を行う。
【０１７１】
原版は、Ｎｉなどの硬度の高い金属を用いる。光学的撮影もしくは、電子線描画などにより形成したガラスマスターなどの表面にＣｒまたはＮｉ薄膜を真空蒸着法や、スパッタリングなどにより、５〜５０ｎｍの厚さで形成後、その上に、Ｎｉなどを電着法（電気めっき、無電解めっき、さらには複合めっきなど）により５０〜１０００μｍ形成し、それらの金属層全体を剥離することで作ることができる。
【０１７２】
高圧回転式の複製に用いるためには、このＮｉ層の厚み精度を高くする必要があり、通常±１０μｍ、好ましくは、±１μｍとする。このため、裏面の研磨や、平坦化方法を用いてもよい。
【０１７３】
複製方式は、高圧とするため、平板式でなく、回転式を用い、線圧０．１トン／ｍ〜１０トン／ｍ、好ましくは、５トン／ｍ以上とする。複製用シリンダーは、その直径が小さいとレリーフの再現性が低下するため、複製シリンダー直径は大きい方が好ましく、通常、直径０．１ｍ〜２．０ｍ、好ましくは、１．０ｍ以上の弧を使用する。
【０１７４】
ホログラム形成層１をこの複製用シリンダーに沿って押し当て、裏面より金属製シリンダーにより上記圧力にて複製を実施する。複製後の熱収縮などの歪みや変形を最小限とするためには、ホログラム形成層１全体を加熱するのではなく、ホログラム形成層１のホログラムレリーフ２面側の一部のみを加熱する方法が望ましい。通常６０℃〜１１０℃に加熱する。さらには、裏面の金属製シリンダーを常温に保つ、もしくは冷却することで、さらにその精度を向上させることができる。
【０１７５】
また、上記した透明樹脂基材に用いられる樹脂材料の中から、ヘーズが１０％以下である透明材料を選定して用いることで、ホログラム形成層１のヘーズを１０％以下とすることができる。
【０１７６】
（着色パターン層Ａ、または、着色パターン層Ｂ）
本発明のホログラムシートＨでは、透明樹脂基材の一方の面にホログラムレリーフ２が設けられたホログラム形成層１の、その透明樹脂基材の他方の面に「着色パターン層Ａ」３を形成し、ホログラムレリーフ２を埋めるように「着色パターン層Ｂ」４を形成する。（図１参照。）
「着色パターン層Ａ」３に用いられる顔料としては、
有機顔料として、キナクリドン系レッド・マゼンタ、アンスラキノン系レッド・イエロー、ポリアゾ系イエロー、ベンズイミダゾロン系イエロー・オレンジ、フタロシアニン系顔料として、銅フタロシアニンブルー（α型、β型）、銅フタロシアニングリーン、異種金属フタロシアニンブルー、スレン系ブルー、アゾ系顔料として、溶性アゾ顔料（カーミン６Ｂ、パーマネントレッド２Ｂ他）、不溶性アゾ顔料（ジスアゾ系、モノアゾ系他）、不溶性多環式顔料（赤：キナクリドン、ペリレン、ジケトピロロピロール、橙：ペリノン、ペリレン、ジケトピロロピロール、黄：キノフタロン、イソインドリノン、緑：フタロシアニン、青：フタロシアニン、インダンスレン、紫：ジオキサジン他）、不溶性レーキ顔料（赤：レーキレッドＣ、ウォチュングレッド他）などがある。
【０１７７】
特に、不溶性アゾ顔料、不溶性多環式顔料、不溶性レーキ顔料は、着色力が強く、鮮明な色相を有し、透明性が高いため好適である。
【０１７８】
無機顔料としては、複合酸化物系顔料、微粒子複合酸化物系顔料、紺青、ハイブリッド型顔料等があるが、さらに、弁柄、モリブデンレッド、カドミウムレッド、鉛丹（以上、赤色。）、黄鉛（赤口）、モリブデンオレンジ（橙色）、カドミウムオレンジ（橙色）、群青（ウルトラマリンブルー）、紺青（プルシアンブルー）、コバルトブルー、セルリアン、マンガン青（以上、青色。）、アンバー（茶色。）、黄鉛、カドミウムイエロー、チタン黄、黄色酸化鉄（以上、黄色。）、酸化クロム、コバルトグリーン、ビリジアン、ピーコック（以上、緑色。）、マルス紫、コバルトバイオレット、マンガンバイオレット（以上、紫色。）その他、体質顔料や、金属粉顔料等が用いられる。
【０１７９】
顔料の粒径は、通常のものを使用できるが、「着色パターン層Ａ」３の透明性を確保するには、顔料の粒径が０．０１〜０．１μｍのもの（微粒子顔料）を使用する。但し、この粒径のものは、二次凝集しやすく、再分散処理等を施す必要がある。添加量は、用いる形成方法において、形成する厚さとのバランスで決められるが、通常１％〜２０％添加が好適であり、適宜な溶剤または水に溶かして、２〜２０μｍの厚さに形成する。
【０１８０】
形成方法は、「着色パターン層Ａ」３の平坦性を、表面粗さＲａで、０．１μｍ〜０．５μｍとするため、ステンレススクリーン印刷方式、凹版方式、レジスト処理方式、さらには、着色層転写方式が好ましい。
【０１８１】
さらに、「着色パターン層Ａ」３の「ヘーズ」を、１０％以下に抑えるためには、「ヘーズ」が２％以下の透明な樹脂を用い、その樹脂に分散性の良い微粒子有機顔料もしくは、微粒子無機顔料を、１％〜５％添加したものを用いる。
【０１８２】
アクリル樹脂（ヘーズ２％以下）、ポリカーボネート樹脂（同２％以下）等に、上記微粒子顔料を１％〜５％添加し、ホログラム形成層１に対する溶解性の小さい溶剤系を用いて、固形分３０％〜５０％として形成する。
【０１８３】
このとき、溶剤系に乾燥速度の比較的遅いもの（沸点１００°以上、好ましくは、沸点１３０°以上のもの。）を溶剤成分の１０％〜２０％混入させ、その乾燥中に、「着色パターン層Ａ」３の表面のレベリングを促進することも好適である。
【０１８４】
「着色パターン層Ａ」３に用いられる染料としては、天然染料、及び合成染料があり、ダイレクトレッド２、ダイレクトレッド２８（コンゴレッド）などの直接染料、オレンジ２などの酸性染料、メチレンブルーなどの塩基性染料、カチオン染料、アリザリンなどの媒染染料、モーダントブラック３などの酸性媒染染料、硫化染料、インディゴなどの建染染料、ナフトール染料、ディスパースイエロー７、ディスパースオレンジ３、ディスパースレッド１７、１，４−ジアミノアンスラキノンなどの分散染料及び、レアクティブレッド１などの反応染料等を用いることができる。
【０１８５】
これら染料を、適宜な樹脂に溶解させて、着色パターン層Ａ用のインキとすることができるが、相溶性の高い透明樹脂に溶解させることで、より鮮明な色相と、より高い透明性を得ることができる。
【０１８６】
染料の添加量は、１％〜３０％とする。また、染料系を用いた場合は、顔料系よりも形成時のレンズベリング性や、表面平滑性に優れるため、より「平坦な面」を実現することができる。
【０１８７】
固形分及び、形成方法は顔料系と同様である。
【０１８８】
さらに、「着色パターン層Ａ」３の「ヘーズ」を、１０％以下に抑えるためには、「ヘーズ」が５％以下の透明な樹脂を用い、その樹脂に相溶する染料を１％〜１０％添加したものを用いる。
【０１８９】
また、「着色パターン層Ａ」３に使用される樹脂は、アクリル系樹脂、ポリエステル系樹脂、ポリウレタン系樹脂、塩化ビニル系樹脂、酢酸ビニル系樹脂、塩化ビニル−酢酸ビニル共重合体樹脂、ポリアミド系樹脂、メラミン樹脂、フェノール樹脂などが挙げられ、ホログラム形成層１との接着性の良好なもの、顔料や染料の分散性や相溶性の良いものが使用できる。
【０１９０】
さらに、これらの顔料や、染料に加えて、「色」を調整するため、粒径０．１μｍ〜１．０μｍの炭酸カルシウム等の透明体質顔料や、透明性を有しながら光散乱性を有するシリコンパウダー等の高屈折率透明樹脂粒子を使用することもできる。
【０１９１】
これらの透明体質顔料や、透明樹脂粒子は、「着色パターン層Ａ」３の光透過性を抑制する効果を持ち、その添加量は、固形分比１％〜１０％とする。１％未満では、添加した効果が表れず、１０％を超えると、インキとしてのレベリング性や、分散性に悪影響を及ぼすことになる。
【０１９２】
「着色パターン層Ｂ」４に用いられる樹脂、顔料、及び染料としては、上記したものにおいて、反射性薄膜層５や、ホログラム形成層１との接着性の良好なもの、顔料や染料の分散性や相溶性の良いものが使用でき、「着色パターン層Ａ」３と同様の透明性を付与する場合には、その配合も「着色パターン層Ａ」３と同様とするが、隠ぺい性を付与する場合には、隠ぺい性に優れるチタン白や、鉛白等の顔料を用いることになる。
【０１９３】
また、その形成時に、ホログラム形成層１のホログラムレリーフ２の面の形状や性質に影響を及ぼさないようにするため、その溶剤系や、形成方法を選択する。特に、その形成プロセスにおいて、「着色パターン層Ｂ」４を形成する領域（「パターンｂ」の領域。）以外の領域にあるホログラムレリーフ２面には、物理的または、化学的な接触が全く無い方法が望ましい。
【０１９４】
また、「着色パターン層Ｂ」４が設けられている領域における、ホログラムレリーフ２の面（ホログラム形成層１と「着色パターン層Ｂ」４との界面。）において、その界面での反射率をほぼ「０％」とするために、ホログラム形成層１に使用する透明樹脂基材の屈折率と、「着色パターン層Ｂ」４に使用する樹脂の屈折率を同一とするか、または、その屈折率差を０．１以下とするように、「着色パターン層Ｂ」４に使用する樹脂を選定する。
【０１９５】
例えば、各種の熱可塑性樹脂、熱硬化性樹脂、もしくは電離放射線硬化性樹脂を用いることができ、熱可塑性樹脂としては、アクリル酸エステル樹脂（屈折率ｎ＝１．４７）、アクリルアミド樹脂（ｎ＝１．５０）、ニトロセルロース樹脂（ｎ＝１．５４）、酢酸ビニル樹脂（ｎ＝１．４７）、もしくは、ポリスチレン樹脂（ｎ＝１．６０）等が、また、熱硬化性樹脂としては、不飽和ポリエステル樹脂（ｎ＝１．６４）、ウレタン樹脂（ｎ＝１．６０）、エポキシ変性アクリル樹脂（ｎ＝１．５５）、エポキシ変性不飽和ポリエステル樹脂（ｎ＝１．６４）、アルキッド樹脂（ｎ＝１．５４）、もしくはフェノール樹脂（ｎ＝１．６０）等が挙げられる。
【０１９６】
これらの熱可塑性樹脂及び熱硬化性樹脂は、１種もしくは２種以上を使用することができ、各種イソシアネート樹脂を用いて架橋させてもよいし、あるいは、各種の硬化触媒、例えば、ナフテン酸コバルト、もしくはナフテン酸亜鉛等の金属石鹸を配合するか、または、熱もしくは紫外線で重合を開始させるためのベンゾイルパーオキサイド、メチルエチルケトンパーオキサイド等の過酸化物、ベンゾフェノン、アセトフェノン、アントラキノン、ナフトキノン、アゾビスイソブチロニトリル、もしくはジフェニルスルフィド等を配合しても良い。
【０１９７】
また、電離放射線硬化性樹脂としては、エポキシアクリレート（ｎ＝１．５５）、ウレタンアクリレート（ｎ＝１．５４）、アクリル変性ポリエステル（ｎ＝１．６４）等を挙げることができ、このような電離放射線硬化性樹脂に架橋構造を導入するか、もしくは粘度を調整する目的で、単官能モノマーもしくは多官能モノマー、またはオリゴマー等を配合して用いてもよい。
【０１９８】
さらに、環境に配慮して、生分解性プラスチックを用いることもできる。
【０１９９】
もちろん、これらの樹脂を、「着色パターン層Ａ」３にも使用し、その耐久性や、物理特性の高いものとすることも好適である。
「着色パターン層Ｂ」４の斜面を形成する方法としては、「着色パターン層Ａ」の形成方法と同様の方法を用いることができるが、斜面の傾斜角度を５度〜４０度とすることや、その平坦性である、表面粗さＲａで０．１μｍ〜１．０μｍとすることを実現するためには、凹版方式、着色層転写方式及び着色層成形方式を用いることが好適である。
【０２００】
凹版印刷方式は、凹版の底面を斜面とし、自由なパターンで１００μｍ程度の厚さの印刷をすることができ、且つ、印刷形状の再現性が高い。
【０２０１】
着色層転写方式は、転写基材上にあらかじめ「着色パターン層Ｂ」４に相当する着色層を設けておき、ホログラム形成層１のホログラムレリーフ２面に位置合わせをして重ね合わせ、転写基材上から加熱し、且つ、加圧して、その着色層自体の接着性を利用して、着色層部分のみをホログラムレリーフ２面へ転写（転移）させるものである。その転写後に斜面となる面は、転写基材上の表面が写し取られた面となるため、高い平坦性と、高い再現性を付与することが可能である。
【０２０２】
着色層成形方式は、あらかじめ凹版と同様の成形型をフォトレジストの露光量調節等の手法を用いて作成しておき、この成形型の凹部に電離放射線硬化型の樹脂を埋め込んで、ホログラム形成層１のホログラムレリーフ２面に接するように重ねて、電離放射線を照射した後、その成形型を剥がすことで、「着色パターン層Ｂ」４を高い精度で形成することができるものである。ここで、フォトレジストの露光量調節とは、通常の「露光するか否かのＯＮ／ＯＦＦの露光」ではなく、一つのパターンを細分化し、その細かな領域に、パターンの端部から徐々に露光量を増加させ、フォトレジスト現像後には、階段状の斜面を形成することをいう。このとき、その階段の一つのステップの段差が０．１μｍ未満であれば、本発明の「斜面」に該当することになる。これは、例えば、電子線レジストを用いた電子線描画方式により実現できる。（形成方法は図示せず。）
また、それぞれの方式で、凹版や、転写基材表面、及び成形型の底の部分の面が、「着色パターン層Ｂ」４の斜面に該当するため、この面を表面粗さＲａで０．１μｍ〜１．０μｍとなる平坦な面とすることが必須である。
【０２０３】
さらに、これらの形成方法は、「パターンｂ」を微細な領域に分割して、「着色パターン層Ｂ」を形成する場合にも好適に用いることができる。
【０２０４】
（反射性薄膜層）
本発明のホログラムシートＨでは、ホログラム形成層１の上に形成されているホログラムレリーフ２に接して、追従するように、且つ、ホログラムレリーフ２の上に「着色パターン層Ｂ」４が設けられている領域においては、その「着色パターン層Ｂ」４に接して、追従するように、反射性薄膜層５を形成する。（図１参照。）
この反射性薄膜層５は、入射した光を反射する必要があるため、ホログラム形成層１、及び、「着色パターン層Ｂ」４よりも高い屈折率を有する薄膜であれば、特に限定されない。
【０２０５】
反射性薄膜層５としては、真空薄膜法などにより形成される金属薄膜などの金属光沢反射層、又は透明反射層のいずれでもよいが、金属光沢反射層を部分的に設けたり、透明反射層を設けた場合は、ホログラムシートＨを、偽造防止を図る対象物に適用した後、ホログラムシートＨに覆われた対象物上の画像などがホログラムを通して観察できるので好ましい。
【０２０６】
透明反射層としては、ほぼ無色透明な色相で、その光学的な屈折率がホログラム形成層１のそれとは異なることにより、金属光沢が無いにもかかわらず、ホログラムなどの光輝性を視認できることから、透明なホログラムを作製することができる。
【０２０７】
例えば、ホログラム形成層１よりも光屈折率の高い薄膜の例として、ＺｎＳ、ＴｉＯ2、Ａｌ2Ｏ3、Ｓｂ2Ｓ3、ＳｉＯ、ＳｎＯ2、ＩＴＯなどがある。好ましくは、金属酸化物又は窒化物であり、具体的には、Ｂｅ、Ｍｇ、Ｃａ、Ｃｒ、Ｍｎ、Ｃｕ、Ａｇ、Ａｌ、Ｓｎ、Ｉｎ、Ｔｅ、Ｔｉ、Ｆｅ、Ｃｏ、Ｚｎ、Ｇｅ、Ｐｂ、Ｃｄ、Ｂｉ、Ｓｅ、Ｇａ、Ｒｂ、Ｓｂ、Ｐｂ、Ｎｉ、Ｓｒ、Ｂａ、Ｌａ、Ｃｅ、Ａｕなどの酸化物又は窒化物、または、それらの２種以上を混合したものなどが例示できる。またアルミニウムなどの一般的な光反射性の金属薄膜も、厚みが２０ｎｍ以下になると、透明性が出て使用できる。
【０２０８】
透明金属化合物の形成は、金属の薄膜と同様、１０〜２０００ｎｍ程度、好ましくは２０〜１０００ｎｍの厚さになるよう、蒸着、スパッタリング、イオンプレーティング、ＣＶＤ（化合気相成長）法などの真空薄膜法などにより設ければよい。特にＣＶＤ法はホログラム形成層１への熱的ダメージが少ない。また、他の薄膜形成法を用いても、形成する薄膜層を薄くしておくと、その熱的ダメージを少なくすることができる。例えば、アルミニウム蒸着層であれば、形成条件によるが、ほぼ２０ｎｍで透明性が無くなり全反射性（可視光波長の光を９０％以上反射することをいう。）を出現する臨界点である。この厚さは薄膜材料、形成方法、金属加熱温度や真空度等の形成条件により異なる。
【０２０９】
（粘着剤層）
本発明のホログラムラベルＨ´（図２参照。）に用いられる粘着剤層６としては、従来公知の溶剤系及び水系のいずれの粘着剤も用いることができる。例えば、酢酸ビニル樹脂、アクリル樹脂、酢酸ビニル−アクリル共重合体、酢酸ビニル−塩化ビニル共重合体、エチレン−酢酸ビニル共重合体、ポリウレタン樹脂や、天然ゴム、クロロプレンゴムなどのゴム系樹脂などを挙げることができる。自然にやさしい材料構成とするために、特に、天然ゴムを主成分とするラテックス、または、それを変性したもの、特に天然ゴムにスチレンとメタクリル酸メチルとをグラフト重合させて得た天然ゴムラテックス等の天然素材から作製されたものを用いても良い。
【０２１０】
粘着剤層６の塗工量は、約８〜３０ｇ／平方メートル（固形分）が一般的であり、従来公知の方法、すなわち、グラビアコート、ロールコート、コンマコートなどの方法で、塗布し乾燥して粘着剤層６を形成する。また、粘着剤層６の粘着力は、反射性薄膜層５と粘着剤層６との剥離強度で、ＪＩＳ  Ｚ０２３７準拠の１８０°による剥離方法において、０．１〜１ｋｇ程度の範囲にすることが望ましい。もちろん、それ以上の剥離強度を有していても、本発明の目的には適合している。
【０２１１】
本発明のホログラムラベルＨ´を、偽造防止を図る対象物（被貼着体）の所望の位置に、その粘着剤層６が接するように貼りつけ、加圧することで、容易にその対象物に適用することができる。
【０２１２】
（透明基材、または、接着剤層）
本発明のホログラム転写シートＨ´´（図３参照。）で使用される透明基材７は、厚みを薄くすることが可能であって、機械的強度や、ホログラム転写シートＨ´´を製造する際の処理や加工に適した耐溶剤性及び耐熱性を有するものが好ましく、さらに、ホログラム形成層１及び、「着色パターン層Ａ」３との剥離性を有するもの（透明基材７を容易に剥離することができるという意味。）とする。
【０２１３】
使用目的にもよるので、限定されるものではないが、フィルム状もしくはシート状のプラスチックが好ましい。
【０２１４】
例えば、ポリエチレンテレフタレート（ＰＥＴ）、ポリカーボネート、ポリビニルアルコール、ポリスルホン、ポリエチレン、ポリプロピレン、ポリスチレン、ポリアリレート、トリアセチルセルロース（ＴＡＣ）、ジアセチルセルロース、ポリエチレン／ビニルアルコール等の各種のプラスチックフィルムを例示することができる。
【０２１５】
透明基材７の一方の面に、シリコン処理等の表面不活性化処理を全面に施し、透明基材７の剥離強度を所望の値に抑えることも好適である。
【０２１６】
透明基材７の厚さは、通常５〜１００μｍであるが、転写シートとしての取り扱い適正から１２〜２５μｍとすることが望ましい。
【０２１７】
もちろん、環境影響を配慮して、透明な生分解性を有するプラスチックフィルム又はシートを使用することもでき、化学合成系として、ラクトン系樹脂：εーカプロラクトン、４−メチルカプロラクトン、３，５，５−トリメチルカプロラクトン、３，３，５−トリメチルカプロラクトン、βープロピオラクトン、γーブチロラクトン、δーバレロラクトン、エナントラクトンの単独重合体またはこれら２種以上のモノマーの共重合体、これらの混合物、ポリカプロラクトン、もしくは、ポリブチレンサクシネート系樹脂：ポリブチレンサクシネート・アジペート、ポリブチレンサクシネートとポリカプロラクトンとの混合物、ポリブチレンサクシネートとポリブチレンサクシネート・アジペートとの混合物、ポリブチレンサクシネート・アジペートとポリ乳酸との混合物、もしくは、ポリ乳酸、ポリ乳酸とＤ−乳酸との混合物など、もしくは、低分子量脂肪族ジカルボン酸と低分子量脂肪族ジオールより合成したポリエステル樹脂、例えばコハク酸とブタンジオール、エチレングリコールとの組み合わせや、シュウ酸とネオペンチルグリコール、ブタンジオール、エチレングリコールとの組み合わせなど、もしくは、変性ポリビニルアルコールと脂肪族ポリエステル樹脂と澱粉の混合物、または、低分子量脂肪族ポリエステルに脂肪族イソシアネートを添加して重合させたものなどが好適である。
【０２１８】
また、天然物系として、ゼラチンなどの動物性天然物質、セルロースなどの植物性天然物質など、もしくは、澱粉脂肪酸エステル、澱粉キトナン・セルロースなど、または、微生物生産系として、ポリヒドロキシブチレートや、ポリエステル系、さらには、炭素源として３−ヒドロキシプロピオン酸、４−ヒドロキシ酪酸、もしくは、γ―ブチロラクトンをベースとするＰ（３ＨＢ−ＣＯ―４ＨＢ）、または、炭素源としてプロピオン酸、吉草酸をベースとしたＰ（３ＨＢ−ＣＯ―３ＨＶ）などが好適である。
【０２１９】
また、透明基材７の上に、ホログラム形成層１及び、「着色パターン層Ａ」３との剥離性を有する剥離層（図示せず。）を設けてもよく、剥離層は、透明基材７とは剥離する性質を有し、ホログラム形成層１及び、「着色パターン層Ａ」３との接着性に優れ、且つ、耐久性に優れるものが望ましく、アクリル樹脂、ポリエステル樹脂、ポリウレタン樹脂等より選定する。透明性を有し、且つ、耐久性を有するシリコン樹脂微粒子等を添加することも好適である。
【０２２０】
そして、反射性薄膜層５の上に、接着剤層８を設ける。（図３参照。）
接着剤層８に用いられる接着剤としては、偽造防止を図る対象物に対する接着性を確保するためのものであるので、反射性薄膜層５等との接着性がよく、被転写物である対象物と強固に接着できるものが好ましい。具体的には、塩化ビニル系樹脂、酢酸ビニル系樹脂、塩化ビニル−酢酸ビニル共重合体樹脂、アクリル系樹脂、ポリエステル系樹脂、ポリウレタン系樹脂、ポリアミド系樹脂、及びゴム変性物などが挙げられ、これらの中から適するものを適宜選択して使用でき、また、これらは単体、もしくは２種以上の混合系で、更に必要に応じてハードレジンや可塑剤、または、その他の添加剤を加えて使用することができ、形成厚さ、形成方法等は適宜選択する。
【０２２１】
本発明のホログラム転写シートＨ´´を、その対象物に接着剤層８を接するように重ね、透明基材７側から１００°〜２００°の加熱と、１ｇ／平方ミリメートル〜１００ｇ／平方ミリメートルの加圧により、その対象物に貼着させ、その後、透明基材７のみを剥離することにより、容易に、偽造防止を図る対象物に適用することができる。
【実施例】
【０２２２】
以下、実施例及び比較例により、本発明を更に詳細に説明するが、これに限定されるものではない。なお、溶媒を除き、各層の各組成物は固形分換算の質量部である。
【０２２３】
（実施例１）
ホログラム形成層１を構成する透明樹脂基材として、５０μｍ厚さのメラミン樹脂を押し出し成形法によりシート上に形成したものを用いた。そして、レーザ光学系を用いて撮影した意匠性の高いホログラム（回折効率２０％）を備えたＮｉ原版を用意し、上記したホログラム形成層１の一方の面に、そのＮｉ原版のレリーフ面を合わせて、回転式レリーフホログラム形成装置（原版シリンダー径１．０ｍ、原版面温度１００℃、加圧シリンダー径０．３ｍの水冷式で、圧力を２トン／ｍ、複製速度を１０ｍ／分とする。）にてホログラムレリーフ２をホログラム形成層１の一方の面に形成した。（図１参照。）
このホログラム形成層１の他方の面に、下記組成の「着色パターン層Ａ」３を、ステンレススクリーン方式を使用して、厚さ５．０μｍの赤色の文字（ロゴ）「ＢＲ  ＮＤ」を形成した。
この一つ一つの文字サイズは、５ｍｍ×５ｍｍの文字とし、一つのブランクを含む、「４文字＋１ブランク」の５文字長のものを繰り返えして天地左右に配置したデザイン（天地方向には２ｍｍの隙間をあけ、左右方向には、３ｍｍの隙間を設けた。）とした。「ＢＲ  ＮＤ」の文字の画線幅は、ほぼ３００μｍであった。（このデザインが、「パターンａ」に相当する。）
そして、乾燥条件は、緩やかなものとし、文字表面の平滑性を高めた。このときの「着色パターン層Ａ」３の平坦性は、表面粗さＲａで、０．５μｍであった。
・＜着色パターン層Ａ用組成物＞
メラミン樹脂                                                      ３０質量部
フタロシアニン系染料                                              １０質量部
トルエン                                                          ３０質量部
イソプロピルアルコール                                            ２  ５質量部
ブチルセルソルブ                                                      ５質量部
さらに、このホログラム形成層１のホログラムレリーフ２面上に、下記組成の「着色パターン層Ｂ」４を、凹版印刷方式を使用して、文字の線幅方向（幅３００μｍ）に傾斜角度１０度で形成した。（この傾斜角度は、透明樹脂基材の他方の面に対して１０度とした。）このとき、幅３００μｍを１０分割して、文字の画線を３０μｍ幅の短冊状領域に分け、それぞれの短冊状領域の幅方向に傾斜角度１０度の傾斜を設けた。
・＜着色パターン層Ｂ用組成物＞
メラミン樹脂                                                      ３０質量部
フタロシアニン系染料                                              １０質量部
蛍光増白剤                                                          ２質量部
トルエン                                                          ３０質量部
イソプロピルアルコール                                            ２  ５質量部
ブチルセルソルブ                                                      ３質量部
「着色パターン層Ｂ」４の短冊状領域の一方の端部での厚さを４．４μｍとし、３０μｍ離れた他の端部での厚さを９．６μｍとした。従って、「着色パターン層Ｂ」４は、傾斜角度３０度の面を持つ短冊状領域が繰り返して形成されたものとなった。（図示せず。図１〜３には、「着色パターン層Ｂ」４として、一つの斜面を有する例を示している。）
その結果、平均厚さ７．０μｍの赤色の文字（ロゴ）「    Ａ    」を形成した。
【０２２４】
このとき、このロゴ「    Ａ    」は、４つのブランクと一つの文字からなり、その「Ａ」の位置が、ちょうど、「着色パターン層Ａ」３の（ロゴ）「ＢＲ  ＮＤ」の中央に位置するように配置した。「    Ａ    」の文字の画線幅も、ほぼ３００μｍであった。（このデザインが、「パターンｂ」に相当する。）
（図１参照。）
さらに、このホログラムレリーフ２面及び、「着色パターン層Ｂ」４に接して、追従するように、アルバック社製真空蒸着機にて、２００ｎｍ厚さのアルミニウム薄膜からなる反射性薄膜層５を形成し、実施例１のホログラムシートＨとした。（図１参照。）
このホログラムシートＨを、ホログラム形成層１側から、事務所室内の天井に等間隔に設置されている１０本の蛍光灯の照明下にて観察したところ、ホログラムシートＨを正面から観察した際には、「ＢＲ  ＮＤ」（「パターンａ」）の赤い文字が、反射性薄膜層５からの反射光を背後から受けて、また、「    Ａ    」（「パターンｂ」）の赤い文字は、明度を向上させた組成物を１．４倍の厚さで設けたことで、「ＢＲ  ＮＤ」の赤い文字の「色」と、「    Ａ    」の赤い文字の「色」が「同一」と認識され、あたかも、それらの文字が合わさって、「赤色一色」からなる「ＢＲＡＮＤ」という「一つのロゴ」が印刷されているように認識された（「パターンａ」と「パターンｂ」とが同色であるため、一体となって、「パターンｃ」である「ＢＲＡＮＤ」と視認されることを意味する。）。
【０２２５】
このとき、「パターンｂ」である「    Ａ    」の赤い文字の画線内は均一の「色」を呈していると認識できた。（図示せず。）
そして、このホログラムシートＨを観察する角度をそのホログラムのホログラム再生像が再生する方向として観察すると、「着色パターン層Ａ」３の文字である「ＢＲ  ＮＤ」の文字のみが明るく見えて、その「色」が変化し、「着色パターン層Ｂ」４の文字である「    Ａ    」の文字の「色」はそのままであったことにより、容易に、その真正性を判定することができた。
【０２２６】
さらに、このホログラムシートＨを、上記蛍光灯の中の１本のみを点灯させ、この蛍光灯からのホログラムシートＨへの入射光が、「着色パターン層Ｂ」４の斜面によって正反射される方向からホログラムシートＨを観察すると、「    Ａ    」（「パターンｂ」）の赤い文字のみが明るくなり、その真正性を判定することができた。（図示せず。）
以上のことから、本発明のホログラムシートＨが高い偽造防止性を有するものと思われた。
【０２２７】
（実施例２）
ホログラム形成層１を構成する透明樹脂基材として、アクリル樹脂（ヘーズ２％）を用い、「着色パターン層Ａ」３及び「着色パターン層Ｂ」４に、下記組成のインキを用いたこと以外は、実施例１と同様にして、実施例２のホログラムシートＨとした。（図１参照。）
・＜着色パターン層Ａ用組成物＞
アクリル樹脂（ヘーズ２％）                                        ３０質量部
レイキッドＣ微粒子有機顔料                                          １質量部
トルエン                                                          ３０質量部
イソプロピルアルコール                                            ３  ４質量部
ブチルセルソルブ                                                      ５質量部
・＜着色パターン層Ｂ用組成物＞
メラミン樹脂                                                      ３０質量部
レイキッドＣ微粒子有機顔料                                          １質量部
蛍光増白剤                                                          ２質量部
トルエン                                                          ３０質量部
イソプロピルアルコール                                            ３  ４質量部
ブチルセルソルブ                                                      ３質量部
このホログラムシートＨを、実施例１と同様に評価したところ、「着色パターン層Ａ」３の「色」（青色）の変化が、より明確に視認されたこと以外は、実施例１と同様の良好な評価結果を得た。
【０２２８】
（実施例３）
ホログラム形成層１を構成する透明樹脂基材として、アクリル酸エステル樹脂（屈折率ｎ＝１．４７）を用い、「着色パターン層Ａ」３と「着色パターン層Ｂ」４に、下記組成のインキを用いたこと以外は、実施例１と同様にして、実施例３のホログラムシートＨとした。（図１参照。）
・＜着色パターン層Ａ用組成物＞
アクリル酸エステル樹脂（屈折率ｎ＝１．４７）                      ３０質量部
フタロシアニン系染料                                              １０質量部
トルエン                                                          ３０質量部
イソプロピルアルコール                                            ２  ５質量部
ブチルセルソルブ                                                      ５質量部
・＜着色パターン層Ｂ用組成物＞
アクリル酸エステル樹脂（屈折率ｎ＝１．４７）                      ３０質量部
フタロシアニン系染料                                              １０質量部
蛍光増白剤                                                          ２質量部
トルエン                                                          ３０質量部
イソプロピルアルコール                                            ２  ５質量部
ブチルセルソルブ                                                      ３質量部
このホログラムシートＨを、実施例１と同様に評価したところ、「着色パターン層Ｂ」４の領域におけるホログラムレリーフ２の消失効果が明確に認識されたこと（観察角度を変えても、その「色」が変化しないことを意味する。）以外は、実施例１と同様の良好な評価結果を得た。
【０２２９】
（実施例４）
実施例３の「着色パターン層Ａ」３及び「着色パターン層Ｂ」４用インキ組成物として、下記組成物を用いたこと以外は、実施例３と同様にして、実施例４のホログラムシートＨを得た。（図１参照。）
・＜着色パターン層Ａ用組成物＞
エポキシ変性アクリル樹脂（ｎ＝１．５５）                          ３０質量部
フタロシアニン系染料                                              １０質量部
トルエン                                                          ３０質量部
イソプロピルアルコール                                            ２  ５質量部
ブチルセルソルブ                                                      ５質量部
・＜着色パターン層Ｂ用組成物＞
エポキシ変性アクリル樹脂（ｎ＝１．５５）                          ３０質量部
フタロシアニン系染料                                              １０質量部
蛍光増白剤                                                          ２質量部
トルエン                                                          ３０質量部
イソプロピルアルコール                                            ２  ５質量部
ブチルセルソルブ                                                      ３質量部
このホログラムシートＨを、実施例１と同様に評価したところ、「着色パターン層Ｂ」４の領域におけるホログラムレリーフ２の消失効果が、強く感じられたこと（観察角度を変えても、その「色」が変化しないことを意味する。）以外は、実施例１と同様の良好な評価結果を得た。
【０２３０】
（実施例５）
実施例１の反射性薄膜層５の上に、下記組成の粘着剤層６を３０μｍ厚さで形成し、実施例４のホログラムラベルＨ´を得た。（図２参照。）
・＜粘着剤組成物＞
酢酸ビニル−アクリル共重合体                                      ３０質量部
トルエン                                                          ４０質量部
酢酸ビニル                                                        ４０質量部
このホログラムラベルＨ´の粘着剤層６を、偽造防止性を付与する対象物の表面に置き、圧力をかけたところ、ホログラムラベルＨ´が、その対象物表面に容易に貼着し、ホログラム形成層１側から、室内蛍光灯下にて観察したところ、実施例１と同様の良好な評価結果を得た。
【０２３１】
（実施例６）
透明基材７として、２５μｍポリエチレンテレフタレートを用い、その一方の面に、実施例１の「着色パターン層Ａ」３を同様の方法を用いて形成し、その一方の面と、「着色パターン層Ａ」３の表面を覆うように、下記組成の組成物を、グラビアコーティング方式を用いて、１０μｍの厚さで形成し、その上に、実施例１の「着色パターン層Ｂ」４を同様の配置となるように形成した。（図３参照。）
・＜ホログラム形成層用組成物＞
メラミン樹脂                                                      ３０質量部
トルエン                                                          ４０質量部
イソプロピルアルコール                                            １  ０質量部
酢酸エチル                                                        ２０重量部
その上に実施例１と同様にして、反射性薄膜層５を形成し、その上に、下記組成の接着剤層８をグラビアコーティング方式を用いて、１０μｍの厚さで形成し、実施例６のホログラム転写シートＨ´´を得た。（図３参照。）
このホログラム転写シートＨ´´の接着剤層８面を、偽造防止性を付与する対象物の表面に接するように置き、透明基材７側から、１２０℃、且つ、１０ｇ／平方ミリメートルにて加熱且つ加圧した後、その透明基材７を剥離し、その対象物上に、ホログラム部分（ホログラム転写シートＨ´´の構成から、透明基材７を剥離した部分。）を転写した。
【０２３２】
そのホログラム部分は、もはや、その対象物から剥がすことができず、高い偽造防止性を有すると思われたこと以外は、実施例１と同様の良好な評価を得た。
【０２３３】
（実施例７）
実施例６において、反射性薄膜層５を、アルバック社製電子線加熱方式真空蒸着機を用いて、ＴｉＯｘ薄膜層４０ｎｍを形成したこと以外は、同様にして、実施例７のホログラム転写シートＨ´´を得た。（図３参照。）
このホログラム転写シートＨ´´を実施例６と同様にして、偽造防止性を付与する対象物のデザインの上に転写したところ、ホログラム部分を通して、ホログラム転写シートＨ´´のホログラム再生像、及び、「着色パターン層Ａ」３及び「着色パターン層Ｂ」４の「ロゴ」の背後に、その対象物にあらかじめ印刷されていたデザインを視認することができ、意匠性が向上するとともに、さらに偽造防止性が高いものとなったこと以外は、実施例６と同様に良好な評価結果を得た。
(比較例)
（比較例１）「着色パターン層Ａ」３及び「着色パターン層Ｂ」４を設けず、「着色パターン層Ａ」３と同様の組成物を用いて、「ＢＲＡＮＤ」の「ロゴ」を一様に形成したこと以外は、実施例１と同様にし、比較例１のホログラムシートを得た。
【０２３４】
このホログラムシートを実施例１と同様に評価したところ、形成した「ＢＲＡＮＤ」の「ロゴ」は、いずれの文字も同様に視認されるものであり、「ＢＲＡＮＤ」の「ロゴ」をホログラムシートの上に単に印刷形成するだけで、同様のものが容易に作成でき、偽造防止性に劣るものであると思われた。
【符号の説明】
【０２３５】
Ｈ      ホログラムシート
Ｈ´    ホログラムラベル
Ｈ´´  ホログラム転写シート
１      ホログラム形成層
２      ホログラムレリーフ
３      着色パターン層Ａ
４      着色パターン層Ｂ
５      反射性薄膜層
６      粘着剤層
７      透明基材
８      接着剤層
【図１】
2013246231.tif 000003
【図２】
2013246231.tif 000004
【図３】
2013246231.tif 000005
【手続補正書】
【提出日】平成24年6月13日(2012.6.13)
【手続補正２】
【補正対象書類名】明細書
【補正対象項目名】０００１
【補正方法】変更
【補正の内容】
【０００１】
本発明は、ホログラムシート、ホログラムラベル及びホログラム転写シート（以下、ホログラムシート等ともいう。）に係り、詳しくは、視認性の異なる２種類の着色パターンをあたかも一つのパターンとして認識することができるように形成したことにより、高い偽造防止性を有し、且つ、その真正性を容易に判定できる偽造防止用ホログラムシート、ホログラムラベル及びホログラム転写シートに関するものである。
【手続補正３】
【補正対象書類名】明細書
【補正対象項目名】００１９
【補正方法】変更
【補正の内容】
【００１９】
本発明は、一方がホログラム再生像を透過するタイプ、及び、他方がホログラム再生像を消失させるタイプである、２種類の着色パターン層（例えば、「印刷」層など。）を、ホログラム形成層の上下に設けることによって、あたかも、一つの着色パターンがホログラムと複合されているように観察されるものの、あらかじめ定められた観察方法によっては、目視にて容易に、その２種類の着色パターン層を判別可能である、偽造防止性に優れ、且つ、真正性の判定が簡易な、ホログラムシート、ホログラムラベル及びホログラム転写シートを提供する。